(57)【要約】  スライスベース通信方法およびデバイスが開示されている。本方法は、AMFノードによって第1の要求メッセージをNSSFノードに送信するステップと、AMFノードによって、NSSFノードから応答メッセージを受信し、応答メッセージに基づいて、端末デバイスの許可されたネットワークスライス選択支援情報NSSAIおよび許可されたNSSAIに対応するサービスエリア情報を取得するステップとを含む。AMFノードは、端末デバイスが移動するために発生する登録エリアの変更後にAMFノードとNSSFノードとの間の繰り返される対話を回避するために、端末デバイスの許可されたネットワークスライス選択支援情報NSSAIおよび許可されたNSSAIに対応するサービスエリア情報をNSSFノードから取得する。したがって、これは、シグナリング交換および処理効率を向上させ、システムオーバヘッドを低減する。
2020519061.tif 000002
【特許請求の範囲】
【請求項１】
アクセスおよびモビリティ管理機能AMFノードによって第1の要求メッセージをネットワークスライス選択機能NSSFノードに送信するステップと、
前記AMFノードによって、前記NSSFノードから応答メッセージを受信し、前記応答メッセージに基づいて、端末デバイスの許可されたネットワークスライス選択支援情報NSSAIおよび前記許可されたNSSAIに対応するサービスエリア情報を取得するステップと
を含むスライスベース通信方法。
【請求項２】
前記AMFノードによって、前記応答メッセージに基づいて端末デバイスの許可されたNSSAIおよび前記許可されたNSSAIに対応するサービスエリア情報を取得する前記ステップが、
前記応答メッセージが前記許可されたNSSAIおよび前記許可されたNSSAIに対応する前記サービスエリア情報を搬送する場合に、前記AMFノードによって、前記応答メッセージから前記許可されたNSSAIおよび前記許可されたNSSAIに対応する前記サービスエリア情報を取得するステップ、または
前記応答メッセージが前記許可されたNSSAIを搬送する場合に、前記AMFノードによって、前記応答メッセージから前記許可されたNSSAIを取得し、NSSAIとサービスエリアとの対応関係に基づいて、前記許可されたNSSAIに対応する前記サービスエリア情報を取得するステップ、または
前記応答メッセージが第1のNSSAIおよび前記第1のNSSAIに対応するサービスエリア情報を搬送する場合に、前記AMFノードによって、前記第1のNSSAIおよび前記第1のNSSAIに対応する前記サービスエリア情報に基づいて、前記許可されたNSSAIおよび前記許可されたNSSAIに対応する前記サービスエリア情報を決定するステップを含む、請求項1に記載の方法。
【請求項３】
前記応答メッセージが前記許可されたNSSAIを搬送する場合に、前記AMFノードによって、NSSAIと前記NSSAIのサービスエリアとの対応関係に基づいて、前記許可されたNSSAIおよび前記許可されたNSSAIに対応する前記サービスエリア情報を取得するステップが、
前記AMFノードによって、前記NSSFノードからNSSAIとサービスエリアとの前記対応関係を取得するステップをさらに含む、請求項2に記載の方法。
【請求項４】
前記AMFノードによって前記端末デバイスのサブスクリプション情報を照会するステップであって、前記サブスクリプション情報が、前記端末デバイスのサブスクライブされたNSSAIを含み、前記第1の要求メッセージが、前記第1のNSSAIを搬送し、前記第1のNSSAIが、前記サブスクライブされたNSSAIに関連付けられる、ステップ
をさらに含む、請求項1から3のいずれか一項に記載の方法。
【請求項５】
前記AMFノードによって、前記端末デバイスから登録要求メッセージを受信するステップであって、前記登録要求メッセージが、構成されたNSSAIを搬送し、前記第1の要求メッセージが、前記第1のNSSAIを搬送し、前記第1のNSSAIが、前記構成されたNSSAIに関連付けられるか、または前記第1のNSSAIが、サブスクライブされたNSSAIおよび前記構成されたNSSAIに関連付けられる、ステップ
をさらに含む、請求項1から4のいずれか一項に記載の方法。
【請求項６】
前記第1の要求メッセージが、前記端末デバイスの識別情報を搬送する、請求項1から5のいずれか一項に記載の方法。
【請求項７】
前記応答メッセージが、前記許可されたNSSAI内の各単一ネットワークスライス選択支援情報S−NSSAIに対応するスライスインスタンス識別情報をさらに含む、請求項2から6のいずれか一項に記載の方法。
【請求項８】
前記AMFノードによって前記端末デバイスの登録エリア情報を取得するステップと、
前記AMFノードによって、取得された前記端末デバイスの前記許可されたNSSAIおよび前記許可されたNSSAIに対応する前記サービスエリア情報ならびに前記端末デバイスの前記登録エリア情報に基づいて、前記許可されたNSSAI内の各S−NSSAIに対応するスライスインスタンスの属性情報を決定するステップであって、前記属性情報が、前記S−NSSAIに対応する前記スライスインスタンスのサービスエリアが前記端末デバイスの登録エリアを含むかどうかを示すために使用される、ステップと
をさらに含む、請求項1から7のいずれか一項に記載の方法。
【請求項９】
第1のS−NSSAIが、前記端末デバイスの前記登録エリアを含むサービスエリアに対応する、前記許可されたNSSAIのS−NSSAIであり、前記方法が、
前記AMFノードによって第2の要求メッセージをネットワークリポジトリ機能NRFデバイスに送信するステップであって、前記第2の要求メッセージが、前記第1のS−NSSAIまたは前記第1のS−NSSAIに対応するスライスインスタンス識別情報を含む、ステップと、
前記AMFノードによって、前記NRFデバイスからターゲットAMFノードのアドレス情報を受信するステップと、
前記AMFノードによって、前記ターゲットAMFノードの前記アドレス情報に基づいて、前記許可されたNSSAIおよび前記許可されたNSSAIに対応する前記サービスエリア情報を前記ターゲットAMFノードに送信するステップとをさらに含む、請求項8に記載の方法。
【請求項１０】
前記AMFノードによって、前記許可されたNSSAI内の各S−NSSAIに対応するスライスインスタンス識別情報を前記ターゲットAMFノードに送信するステップ
をさらに含む、請求項9に記載の方法。
【請求項１１】
前記AMFノードによって前記属性情報を前記ターゲットAMFノードに送信するステップ
をさらに含む、請求項9に記載の方法。
【請求項１２】
前記許可されたNSSAIが、訪問先公衆陸上移動ネットワークVPLMNのNSSAIであり、前記応答メッセージが、前記VPLMNの前記NSSAIに対応するホーム公衆陸上移動ネットワークHPLMNのNSSAIをさらに含むか、または前記応答メッセージが、前記VPLMNの前記NSSAIに対応するHPLMNのNSSAIと、前記HPLMNの前記NSSAI内の各S−NSSAIに対応するスライスインスタンス識別情報とをさらに含む、請求項2から11のいずれか一項に記載の方法。
【請求項１３】
ネットワークスライス選択機能NSSFノードによって、アクセスおよびモビリティ管理機能AMFノードから第1の要求メッセージを受信するステップと、
前記NSSFノードによって応答メッセージを前記AMFノードに送信するステップであって、前記応答メッセージが、ネットワークスライス選択支援情報NSSAI、または前記NSSAIおよび前記NSSAIに対応するサービスエリア情報を搬送する、ステップと
を含むスライスベース通信方法。
【請求項１４】
前記NSSAIが、許可されたNSSAIである、請求項13に記載の方法。
【請求項１５】
前記第1の要求メッセージが、第1のNSSAIを搬送し、前記許可されたNSSAIが、前記第1のNSSAIに関連付けられ、
前記第1のNSSAIが、サブスクライブされたNSSAIに関連付けられるか、または前記第1のNSSAIが、構成されたNSSAIに関連付けられるか、または前記第1のNSSAIが、前記サブスクライブされたNSSAIおよび前記構成されたNSSAIに関連付けられる、請求項14に記載の方法。
【請求項１６】
前記第1の要求メッセージが、端末デバイスの識別情報を搬送し、
前記方法が、
前記NSSFノードによって、前記識別情報に基づいて前記端末デバイスのサブスクリプション情報を照会するステップであって、前記サブスクリプション情報が、前記端末デバイスのサブスクライブされたNSSAIを含み、前記許可されたNSSAIが、前記サブスクライブされたNSSAIに関連付けられる、ステップをさらに含む、請求項14に記載の方法。
【請求項１７】
前記第1の要求メッセージが、第1のNSSAIを搬送し、前記NSSAIが、前記第1のNSSAIであり、
前記第1のNSSAIが、サブスクライブされたNSSAIに関連付けられるか、または前記第1のNSSAIが、構成されたNSSAIに関連付けられるか、または前記第1のNSSAIが、前記サブスクライブされたNSSAIおよび前記構成されたNSSAIに関連付けられる、請求項13に記載の方法。
【請求項１８】
前記第1の要求メッセージが、端末デバイスの識別情報を搬送し、
前記方法が、
前記NSSFノードによって、前記識別情報に基づいて前記端末デバイスのサブスクリプション情報を照会するステップであって、前記サブスクリプション情報が、前記端末デバイスのサブスクライブされたNSSAIを含み、前記第1のNSSAIが、前記サブスクライブされたNSSAIに関連付けられる、ステップをさらに含む、請求項17に記載の方法。
【請求項１９】
前記端末デバイスの前記サブスクリプション情報が、前記端末デバイスのタイプをさらに含み、前記第1の要求メッセージが、前記端末デバイスの前記タイプをさらに含む、請求項3から6または13から18のいずれか一項に記載の方法。
【請求項２０】
前記応答メッセージが、前記NSSAI内の各単一ネットワークスライス選択支援情報S−NSSAIに対応するスライスインスタンス識別情報をさらに搬送する、請求項13から19のいずれか一項に記載の方法。
【請求項２１】
前記NSSAIが、訪問先公衆陸上移動ネットワークVPLMNのNSSAIであり、前記応答メッセージが、前記VPLMNの前記NSSAIに対応するホーム公衆陸上移動ネットワークHPLMNのNSSAIをさらに含むか、または前記応答メッセージが、前記VPLMNの前記NSSAIに対応するHPLMNのNSSAIと、前記HPLMNの前記NSSAI内の各S−NSSAIに対応するスライスインスタンス識別情報とをさらに含む、請求項13から20のいずれか一項に記載の方法。
【請求項２２】
前記NSSFノードによってNSSAIと前記NSSAIのサービスエリアとの対応関係を前記AMFに送信するステップ
をさらに含む、請求項13に記載の方法。
【請求項２３】
トランシーバおよびプロセッサを備えるスライスベース通信デバイスであって、
前記プロセッサが、第1の要求メッセージをネットワークスライス選択機能NSSFノードに送信するために前記トランシーバを制御するように構成されており、
前記プロセッサが、前記NSSFノードから応答メッセージを受信し、前記応答メッセージに基づいて、端末デバイスの許可されたネットワークスライス選択支援情報NSSAIおよび前記許可されたNSSAIに対応するサービスエリア情報を取得するために前記トランシーバを制御するようにさらに構成されている、デバイス。
【請求項２４】
前記応答メッセージに基づいて前記端末デバイスの前記許可されたNSSAIおよび前記許可されたNSSAIに対応する前記サービスエリア情報を取得するときに、前記プロセッサが、
前記応答メッセージが前記許可されたNSSAIおよび前記許可されたNSSAIに対応する前記サービスエリア情報を搬送する場合に、前記応答メッセージから前記許可されたNSSAIおよび前記許可されたNSSAIに対応する前記サービスエリア情報を取得するか、または
前記応答メッセージが前記許可されたNSSAIを搬送する場合に、前記応答メッセージから前記許可されたNSSAIを取得し、NSSAIとサービスエリアとの対応関係に基づいて、前記許可されたNSSAIに対応する前記サービスエリア情報を取得するか、または
前記応答メッセージが第1のNSSAIおよび前記第1のNSSAIに対応するサービスエリア情報を搬送する場合に、前記第1のNSSAIおよび前記第1のNSSAIに対応する前記サービスエリア情報に基づいて、前記許可されたNSSAIおよび前記許可されたNSSAIに対応する前記サービスエリア情報を決定するように特に構成されている、請求項23に記載のデバイス。
【請求項２５】
前記プロセッサが、
前記端末デバイスのサブスクリプション情報を照会し、前記サブスクリプション情報が、前記端末デバイスのサブスクライブされたNSSAIを含み、前記第1の要求メッセージが、前記第1のNSSAIを搬送し、前記第1のNSSAIが、前記サブスクライブされたNSSAIに関連付けられる、ようにさらに構成されている、請求項23または24に記載のデバイス。
【請求項２６】
前記プロセッサが、
前記端末デバイスから登録要求メッセージを受信するために前記トランシーバを制御し、前記登録要求メッセージが、構成されたNSSAIを搬送し、前記第1の要求メッセージが、前記第1のNSSAIを搬送し、前記第1のNSSAIが、前記構成されたNSSAIに関連付けられるか、または前記第1のNSSAIが、前記サブスクライブされたNSSAIおよび前記構成されたNSSAIに関連付けられる、ようにさらに構成されている、請求項23から25のいずれか一項に記載のデバイス。
【請求項２７】
トランシーバおよびプロセッサを備えるスライスベース通信デバイスであって、
前記プロセッサが、アクセスおよびモビリティ管理機能AMFノードから第1の要求メッセージを受信するために前記トランシーバを制御するように構成されており、
前記プロセッサが、応答メッセージを前記AMFノードに送信するために前記トランシーバを制御し、前記応答メッセージが、ネットワークスライス選択支援情報NSSAI、または前記NSSAIおよび前記NSSAIに対応するサービスエリア情報を搬送する、ようにさらに構成されている、デバイス。
【請求項２８】
前記NSSAIが、許可されたNSSAIである、請求項27に記載のデバイス。
【請求項２９】
前記第1の要求メッセージが、第1のNSSAIを搬送し、前記許可されたNSSAIが、前記第1のNSSAIに関連付けられ、前記第1のNSSAIが、サブスクライブされたNSSAIに関連付けられるか、もしくは前記第1のNSSAIが、構成されたNSSAIに関連付けられるか、もしくは前記第1のNSSAIが、前記サブスクライブされたNSSAIおよび前記構成されたNSSAIに関連付けられるか、または
前記第1の要求メッセージが、端末デバイスの識別情報を搬送し、前記プロセッサが、前記識別情報に基づいて前記端末デバイスのサブスクリプション情報を照会し、前記サブスクリプション情報が、前記端末デバイスのサブスクライブされたNSSAIを含み、前記許可されたNSSAIが、前記サブスクライブされたNSSAIに関連付けられる、ようにさらに構成されている、請求項28に記載のデバイス。
【請求項３０】
前記第1の要求メッセージが、第1のNSSAIを搬送し、前記NSSAIが、前記第1のNSSAIであり、
前記第1のNSSAIが、サブスクライブされたNSSAIに関連付けられるか、または前記第1のNSSAIが、構成されたNSSAIに関連付けられるか、または前記第1のNSSAIが、前記サブスクライブされたNSSAIおよび前記構成されたNSSAIに関連付けられ、
前記第1の要求メッセージが、端末デバイスの識別情報を搬送し、
前記プロセッサが、
前記識別情報に基づいて前記端末デバイスのサブスクリプション情報を照会し、前記サブスクリプション情報が、前記端末デバイスのサブスクライブされたNSSAIを含み、前記第1のNSSAIが、前記サブスクライブされたNSSAIに関連付けられる、ようにさらに構成されている、請求項27に記載のデバイス。
【発明の詳細な説明】
【技術分野】
【０００１】
本発明の実施形態は、通信技術の分野に属し、具体的には、スライスベース通信方法およびデバイスに属する。
【背景技術】
【０００２】
ネットワークスライスは、様々なユーザ要求に対応するために第5世代（the fifth generation、5G）のモバイル通信システムで提供されるネットワークアーキテクチャであり、ネットワークおよび管理は、消費者および企業の各サービスのカスタマイズされた要求をよりよく満たすようにカスタマイズされ得る。ネットワークスライスをサポートすることは、次世代アーキテクチャの重要な部分である。
【０００３】
5Gネットワークは、以下のような、すなわち、1つのUEがコアネットワークの複数のスライスインスタンスに同時にアクセスし得る単一ユーザ機器（User Equipment、UE）のマルチスライスシナリオのような展開シナリオをサポートする。複数のスライスインスタンスは、アクセスおよびモビリティ管理機能（Access and Mobility Management Function、AMF）を含むいくつかのネットワーク機能を共有する。このシナリオでは、アクセスネットワークノードは、AMFによってサポートされているネットワークスライス選択支援情報（Network Slice Selection Assistance Information、NSSAI）およびUEによって要求されるNSSAIに基づいて適切なAMFを選択する必要がある。
【０００４】
NSSAIは、構成されたNSSAIおよび許可されたNSSAIを含む。構成されたNSSAIおよび許可されたNSSAIは、UEに記憶される。構成されたNSSAIは、UEにおいて構成されたデフォルトのNSSAIである。許可されたNSSAIは、PLMNがUEの接続要求を受け入れた後にPLMNによってUEに返される、ネットワークによって許可されたNSSAIである。UEは、後続のネットワークアクセスプロセスで、許可されたNSSAIを搬送する。無線アクセスネットワーク（Radio Access Network、RAN）ノードは、UEによって搬送された構成されたNSSAIまたは許可されたNSSAIに基づいてAMFを選択する。
【０００５】
NSSFは、AMFから独立した機能であり、UEが最初にネットワークにアクセスするときにUEのためにスライスインスタンスのグループを選択し得る。現在、AMFノードが、NSSFノードを使用してスライス情報を照会することによりUEのためにスライスを選択するとき、NSSFノードは、UEの登録エリアでサポートされているスライス情報を提供する。したがって、AMFは、UEのために、UEの登録エリアでサポートされているスライス選択支援情報も決定する。スライス選択支援情報は、後続のNASプロセスでUEのために適切なAMFを選択するためにRANによって使用される。UEが移動し、トラッキングエリア更新（tracking area update、TAU）プロセスを実行した後、UEの登録エリアは変更される。新しい登録エリアでは、ネットワークによってサポートされているスライス情報が変更され得る。言い換えれば、UEにサービスを提供し得るスライスも変更される。この場合、以前に決定されたスライス選択支援情報は使用され得ず、RANは、スライス選択支援情報に基づいてUEのために適切なAMFを選択し得ず、AMFは、新しい登録エリアでネットワークによってサポートされているスライス情報をNSSFノードから再度照会し、UEのために、新しい登録エリアでサポートされているスライス選択支援情報を決定する必要がある。結果として、AMFノードは、繰り返えされる照会またはブラインド選択を実行し、AMFおよびNSSFは、互いに繰り返し対話し、システムにおいて追加のシグナリングおよびオーバヘッドを発生させる。
【発明の概要】
【０００６】
本発明の実施形態は、新しい登録エリアでネットワークによってサポートされているスライス情報を再度照会することを回避し、UEにサービスを提供するスライスが変更されるときのシステムオーバヘッドを低減するために、スライスベース通信方法およびデバイスを提供する。
【課題を解決するための手段】
【０００７】
第1の態様によれば、スライスベース通信方法が提供される。本方法は、
AMFノードによって第1の要求メッセージをNSSFノードに送信するステップと、AMFノードによって、NSSFノードから応答メッセージを受信し、応答メッセージに基づいて、端末デバイスの許可されたNSSAIおよび許可されたNSSAIに対応するサービスエリア情報を取得するステップとを含む。
【０００８】
AMFノードは、端末デバイスが移動するために発生する登録エリアの変更後にAMFノードとNSSFノードとの間の繰り返される対話を回避するために、端末デバイスの許可されたネットワークスライス選択支援情報NSSAIおよび許可されたNSSAIに対応するサービスエリア情報をNSSFノードから取得する。したがって、これは、シグナリング交換および処理効率を向上させ、システムオーバヘッドを低減する。
【０００９】
第1の態様に関連して、第1の態様の第1の可能な実施態様では、AMFノードによって、応答メッセージに基づいて端末デバイスの許可されたNSSAIおよび許可されたNSSAIに対応するサービスエリア情報を取得するステップは、応答メッセージが許可されたNSSAIおよび許可されたNSSAIに対応するサービスエリア情報を搬送する場合に、AMFノードによって、応答メッセージから許可されたNSSAIおよび許可されたNSSAIに対応するサービスエリア情報を取得するステップ、または応答メッセージが許可されたNSSAIを搬送する場合に、AMFノードによって、応答メッセージから許可されたNSSAIを取得し、NSSAIとサービスエリアとの対応関係に基づいて、許可されたNSSAIに対応するサービスエリア情報を取得するステップ、または応答メッセージが第1のNSSAIおよび第1のNSSAIに対応するサービスエリア情報を搬送する場合に、AMFノードによって、第1のNSSAIおよび第1のNSSAIに対応するサービスエリア情報に基づいて、許可されたNSSAIおよび許可されたNSSAIに対応するサービスエリア情報を決定するステップを含む。
【００１０】
AMFノードは、応答メッセージによって搬送される異なる内容に基づいて異なる多様な方法で端末デバイスの許可されたNSSAIおよび許可されたNSSAIのサービスエリア情報を取得し得、その結果、許可されたNSSAIが繰り返し要求される回数およびシステムオーバヘッドが低減される。
【００１１】
第1の態様または第1の態様の第1の可能な実施態様に関連して、第1の態様の第2の可能な実施態様では、応答メッセージが許可されたNSSAIを搬送する場合に、AMFノードによって、NSSAIとNSSAIのサービスエリアとの対応関係に基づいて、許可されたNSSAIおよび許可されたNSSAIに対応するサービスエリア情報を取得するステップは、AMFノードによって、NSSFノードからNSSAIとサービスエリアとの対応関係を取得するステップをさらに含む。
【００１２】
NSSAIとサービスエリアとの対応関係が取得された後、端末デバイスの登録要求が受信されるたびにNSSAIとサービスエリアとの対応関係が取得されることが回避され得、その結果、システムオーバヘッドが低減される。
【００１３】
第1の態様または第1の態様の第1の可能な実施態様および第2の可能な実施態様のいずれかに関連して、第1の態様の第3の可能な実施態様では、本方法は、AMFノードによって端末デバイスのサブスクリプション情報を照会するステップであって、サブスクリプション情報が、端末デバイスのサブスクライブされたNSSAIを含み、第1の要求メッセージが、第1のNSSAIを搬送し、第1のNSSAIが、サブスクライブされたNSSAIに関連付けられる、ステップをさらに含む。
【００１４】
AMFノードは、端末デバイスのサブスクリプション情報を照会する。第1のNSSAIは、ネットワークによって端末デバイスに提供されるサービスがサブスクリプション要求を満たすことを保証するために、サブスクライブされたNSSAIに関連付けられる。
【００１５】
第1の態様または第1の態様の第1の可能な実施態様から第3の可能な実施態様のいずれか1つに関連して、第1の態様の第4の可能な実施態様では、本方法は、AMFノードによって、端末デバイスから登録要求メッセージを受信するステップであって、登録要求メッセージが、構成されたNSSAIを搬送し、第1の要求メッセージが、第1のNSSAIを搬送し、第1のNSSAIが、構成されたNSSAIに関連付けられるか、または第1のNSSAIが、サブスクライブされたNSSAIおよび構成されたNSSAIに関連付けられる、ステップをさらに含む。
【００１６】
AMFノードは、端末デバイスから登録要求メッセージを受信する。登録要求メッセージによって搬送される構成されたNSSAIは、ネットワークが端末デバイスの実際の要求に基づいて端末デバイスにサービスを提供することを保証するために、第1のNSSAIに関連付けられる。
【００１７】
第1の態様または第1の態様の第1の可能な実施態様から第4の可能な実施態様のいずれか1つに関連して、第1の態様の第5の可能な実施態様では、第1の要求メッセージは、端末デバイスの識別情報を搬送する。
【００１８】
第1の要求メッセージは、端末デバイスの識別情報を搬送し、これにより、NSSFノードは、スライス分離要求があるときにAMFノードが端末デバイスのサブスクリプション情報を取得し得ないシナリオをサポートするために、端末デバイスのサブスクリプション情報を自律的に照会し得る。
【００１９】
第1の態様または第1の態様の第1の可能な実施態様から第5の可能な実施態様のいずれか1つに関連して、第1の態様の第6の可能な実施態様では、応答メッセージは、許可されたNSSAI内の各S−NSSAIに対応するスライスインスタンス識別情報をさらに含む。
【００２０】
AMFノードは、許可されたNSSAI内の各S−NSSAIに対応するスライスインスタンス識別情報をさらに取得し得、これにより、ネットワークが同じS−NSSAIに基づいて複数のスライスインスタンスを展開するとき、AMFノードは、端末デバイスにサービスを提供するために、端末デバイスによって要求されたS−NSSAIに基づいて、正しいスライスインスタンスおよびスライスインスタンスのネットワーク機能を取得し得る。
【００２１】
第1の態様または第1の態様の第1の可能な実施態様から第6の可能な実施態様のいずれか1つに関連して、第1の態様の第7の可能な実施態様では、本方法は、AMFノードによって端末デバイスの登録エリア情報を取得するステップと、AMFノードによって、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報を決定するステップであって、属性情報が、S−NSSAIに対応するスライスインスタンスのサービスエリアが端末デバイスの登録エリアを含むかどうかを示すために使用される、ステップとをさらに含む。
【００２２】
端末デバイスの登録エリア情報に基づいて、AMFノードは、適切なターゲットAMFノードが端末デバイスのために選択され得ることを保証するために、許可されたNSSAI内の各S−NSSAIに対応するスライスインスタンスのサービスエリアが端末デバイスの登録エリアを含むかどうかを知り得る。
【００２３】
第1の態様または第1の態様の第7の可能な実施態様に関連して、第1の態様の第8の可能な実施態様では、第1のS−NSSAIが、端末デバイスの登録エリアを含むサービスエリアに対応する、許可されたNSSAIのS−NSSAIであり、本方法は、AMFノードによって第2の要求メッセージをNRFデバイスに送信するステップであって、第2の要求メッセージが、第1のS−NSSAIまたは第1のS−NSSAIに対応するスライスインスタンス識別情報を含む、ステップと、AMFによって、NRFデバイスからターゲットAMFノードのアドレス情報を受信するステップと、AMFによって、ターゲットAMFノードのアドレス情報に基づいて、許可されたNSSAIおよび許可されたNSSAIに対応するサービスエリア情報をターゲットAMFノードに送信するステップとをさらに含む。
【００２４】
AMFノードは、NRFデバイスを使用して、端末デバイスにサービスを提供するターゲットAMFノードを決定し、取得された許可されたNSSAIおよび許可されたNSSAIに対応するサービスエリア情報をターゲットAMFノードに送信し、これにより、ターゲットAMFノードは、端末デバイスからセッションセットアップ要求を受信した後に適切なスライスインスタンスを選択する。
【００２５】
第1の態様または第1の態様の第8の可能な実施態様に関連して、第1の態様の第9の可能な実施態様では、本方法は、AMFによって、許可されたNSSAI内の各S−NSSAIに対応するスライスインスタンス識別情報をターゲットAMFノードに送信するステップをさらに含む。
【００２６】
AMFノードは、NRFデバイスを使用して、端末デバイスにサービスを提供するターゲットAMFノードを決定し、許可されたNSSAI内の各S−NSSAIに対応するスライスインスタンス識別情報をターゲットAMFノードに送信し、これにより、ターゲットAMFノードは、端末デバイスからセッションセットアップ要求を受信した後に適切なスライスインスタンスを選択する。
【００２７】
第1の態様または第1の態様の第8の可能な実施態様に関連して、第1の態様の第10の可能な実施態様では、本方法は、AMFノードによって属性情報をターゲットAMFノードに送信するステップをさらに含む。
【００２８】
AMFノードは、NRFデバイスを使用して、端末デバイスにサービスを提供するターゲットAMFノードを決定し、許可されたNSSAI内の各S−NSSAIに対応するスライスインスタンスの属性情報をターゲットAMFノードに送信し、これにより、ターゲットAMFノードは、端末デバイスからセッションセットアップ要求を受信した後に適切なスライスインスタンスを選択する。
【００２９】
第1の態様または第1の態様の第1の可能な実施態様から第10の可能な実施態様のいずれか1つに関連して、第1の態様の第11の可能な実施態様では、許可されたNSSAIは、訪問先公衆陸上移動ネットワーク（visit Public Land Mobile Network、VPLMN）のNSSAIであり、応答メッセージは、VPLMNのNSSAIに対応するホーム公衆陸上移動ネットワーク（home Public Land Mobile Network、HPLMN）のNSSAIをさらに含むか、または応答メッセージは、VPLMNのNSSAIに対応するHPLMNのNSSAIと、HPLMNのNSSAI内の各S−NSSAIに対応するスライスインスタンス識別情報とをさらに含む。
【００３０】
第2の態様によれば、スライスベース通信方法が提供される。本方法は、
NSSFノードによって、アクセスおよびAMFノードから第1の要求メッセージを受信するステップと、NSSFノードによって応答メッセージをAMFノードに送信するステップであって、応答メッセージが、NSSAI、またはNSSAIおよびNSSAIに対応するサービスエリア情報を搬送する、ステップとを含む。
【００３１】
NSSFノードは、応答メッセージを使用してNSSAI、またはNSSAIおよびNSSAIに対応するサービスエリア情報をAMFノードに送信する。これは、AMFノードとNSSFノードとの間の繰り返される対話を回避させ、シグナリング交換および処理効率を向上させ、システムオーバヘッドを低減し得る。
【００３２】
第2の態様に関連して、第2の態様の第1の可能な実施態様では、NSSAIは、許可されたNSSAIである。
【００３３】
NSSFノードは、許可されたNSSAIを直接送信し得、これにより、AMFノードは、端末デバイスの許可されたNSSAIを直接取得し得、その結果、AMFノードのシグナリングオーバヘッドが低減される。
【００３４】
第2の態様または第2の態様の第1の可能な実施態様に関連して、第2の態様の第2の可能な実施態様では、第1の要求メッセージは、第1のNSSAIを搬送し、許可されたNSSAIは、第1のNSSAIに関連付けられ、第1のNSSAIは、サブスクライブされたNSSAIに関連付けられるか、または第1のNSSAIは、構成されたNSSAIに関連付けられるか、または第1のNSSAIは、サブスクライブされたNSSAIおよび構成されたNSSAIに関連付けられる。
【００３５】
第1の要求メッセージによって搬送される第1のNSSAIは、端末デバイスのサブスクリプション情報を照会し、第1のNSSAIとサブスクライブされたNSSAIとの関連付けを使用することによりAMFノードによって取得される。これは、端末デバイスによってサポートされ得るNSSAIの数を増加させ得る。
【００３６】
第2の態様または第2の態様の第1の可能な実施態様に関連して、第2の態様の第3の可能な実施態様では、第1の要求メッセージは、端末デバイスの識別情報を搬送し、本方法は、NSSFノードによって、識別情報に基づいて端末デバイスのサブスクリプション情報を照会するステップであって、サブスクリプション情報が、端末デバイスのサブスクライブされたNSSAIを含み、許可されたNSSAIが、サブスクライブされたNSSAIに関連付けられる、ステップをさらに含む。
【００３７】
第1の要求メッセージが、端末デバイスの識別情報を搬送する場合、NSSFノードは、端末デバイスのサブスクリプション情報を照会する。第1のNSSAIは、サブスクライブされたNSSAIに関連付けられ、これにより、端末デバイスによってサポートされ得るNSSAIの数が増加され得る。
【００３８】
第2の態様に関連して、第2の態様の第4の可能な実施態様では、第1の要求メッセージは、第1のNSSAIを搬送し、NSSAIは、第1のNSSAIであり、第1のNSSAIは、サブスクライブされたNSSAIに関連付けられるか、または第1のNSSAIは、構成されたNSSAIに関連付けられるか、または第1のNSSAIは、サブスクライブされたNSSAIおよび構成されたNSSAIに関連付けられる。
【００３９】
第1の要求メッセージによって搬送される第1のNSSAIは、端末デバイスのサブスクリプション情報を照会し、第1のNSSAIとサブスクライブされたNSSAIとの関連付けを使用することによりAMFノードによって取得される。これは、端末デバイスによってサポートされ得るNSSAIの数を増加させ得る。
【００４０】
第2の態様または第2の態様の第4の可能な実施態様に関連して、第2の態様の第5の可能な実施態様では、第1の要求メッセージは、端末デバイスの識別情報を搬送し、本方法は、NSSFノードによって、識別情報に基づいて端末デバイスのサブスクリプション情報を照会するステップであって、サブスクリプション情報が、端末デバイスのサブスクライブされたNSSAIを含み、第1のNSSAIが、サブスクライブされたNSSAIに関連付けられる、ステップをさらに含む。
【００４１】
第1の要求メッセージが、端末デバイスの識別情報を搬送する場合、NSSFノードは、端末デバイスのサブスクリプション情報を照会する。第1のNSSAIは、サブスクライブされたNSSAIに関連付けられ、これにより、端末デバイスによってサポートされ得るNSSAIの数が増加され得る。
【００４２】
第2の態様または第1の態様の第2の可能な実施態様から第5の可能な実施態様および第2の態様の第1の可能な実施態様から第5の可能な実施態様のいずれか1つに関連して、第2の態様の第6の可能な実施態様では、端末デバイスのサブスクリプション情報は、端末デバイスのタイプをさらに含み、第1の要求メッセージは、端末デバイスのタイプをさらに含む。
【００４３】
第1の要求メッセージは、端末デバイスの識別情報を搬送し、これにより、NSSFノードは、端末のサブスクリプション情報を自律的に照会し得る。これは、AMFノードがサブスクリプション情報を照会する回数およびシステムオーバヘッドを低減する。
【００４４】
第2の態様または第2の態様の第1の可能な実施態様から第6の可能な実施態様のいずれか1つに関連して、第2の態様の第7の可能な実施態様では、応答メッセージは、NSSAI内の各S−NSSAIに対応するスライスインスタンス識別情報をさらに搬送する。
【００４５】
応答メッセージは、許可されたNSSAI内の各S−NSSAIに対応するスライスインスタンス識別情報を搬送し、その結果、AMFノードとNSSFノードとの間の繰り返される対話が回避され、シグナリングオーバヘッドが低減される。
【００４６】
第2の態様または第2の態様の第1の可能な実施態様から第7の可能な実施態様のいずれか1つに関連して、第2の態様の第8の可能な実施態様では、NSSAIは、VPLMNのNSSAIであり、応答メッセージは、VPLMNのNSSAIに対応するHPLMNのNSSAIをさらに含むか、または応答メッセージは、VPLMNのNSSAIに対応するHPLMNのNSSAIと、HPLMNのNSSAI内の各S−NSSAIに対応するスライスインスタンス識別情報とをさらに含む。
【００４７】
第2の態様に関連して、第2の態様の第9の可能な実施態様では、本方法は、NSSFによってNSSAIとNSSAIのサービスエリアとの対応関係をAMFに送信するステップをさらに含む。
【００４８】
NSSAIとサービスエリアとの対応関係は、AMFノードが端末デバイスの登録要求メッセージを受信するたびにNSSAIとサービスエリアとの対応関係が取得されることを回避するために、AMFノードに送信され、その結果、システムオーバヘッドが低減される。
【００４９】
第3の態様によれば、スライスベース通信装置が提供される。本装置は、トランシーバユニットおよび処理ユニットを含み、
処理ユニットは、第1の要求メッセージをNSSFノードに送信するためにトランシーバユニットを制御するように構成され、
処理ユニットは、NSSFノードから応答メッセージを受信し、応答メッセージに基づいて、端末デバイスの許可されたNSSAIおよび許可されたNSSAIに対応するサービスエリア情報を取得するためにトランシーバユニットを制御するようにさらに構成される。
【００５０】
第3の態様に関連して、第3の態様の第1の可能な実施態様では、応答メッセージに基づいて端末デバイスの許可されたNSSAIおよび許可されたNSSAIに対応するサービスエリア情報を取得するときに、処理ユニットは、
応答メッセージが許可されたNSSAIおよび許可されたNSSAIに対応するサービスエリア情報を搬送する場合に、応答メッセージから許可されたNSSAIおよび許可されたNSSAIに対応するサービスエリア情報を取得するか、または
応答メッセージが許可されたNSSAIを搬送する場合に、応答メッセージから許可されたNSSAIを取得し、NSSAIとサービスエリアとの対応関係に基づいて、許可されたNSSAIに対応するサービスエリア情報を取得するか、または
応答メッセージが第1のNSSAIおよび第1のNSSAIに対応するサービスエリア情報を搬送する場合に、第1のNSSAIおよび第1のNSSAIに対応するサービスエリア情報に基づいて、許可されたNSSAIおよび許可されたNSSAIに対応するサービスエリア情報を決定する、ように特に構成される。
【００５１】
第3の態様または第3の態様の第1の可能な実施態様に関連して、第3の態様の第2の可能な実施態様では、応答メッセージが許可されたNSSAIを搬送する場合に、NSSAIとNSSAIのサービスエリアとの対応関係に基づいて、許可されたNSSAIおよび許可されたNSSAIに対応するサービスエリア情報を取得するときに、処理ユニットは、
NSSFノードからNSSAIとサービスエリアとの対応関係を取得するようにさらに構成される。
【００５２】
第3の態様または第3の態様の第1の可能な実施態様および第2の可能な実施態様のいずれかに関連して、第3の態様の第3の可能な実施態様では、処理ユニットは、
端末デバイスのサブスクリプション情報を照会し、サブスクリプション情報が、端末デバイスのサブスクライブされたNSSAIを含み、第1の要求メッセージが、第1のNSSAIを搬送し、第1のNSSAIが、サブスクライブされたNSSAIに関連付けられる、ようにさらに構成される。
【００５３】
第3の態様または第3の態様の第1の可能な実施態様から第3の可能な実施態様のいずれか1つに関連して、第3の態様の第4の可能な実施態様では、処理ユニットは、
端末デバイスから登録要求メッセージを受信するためにトランシーバユニットを制御し、登録要求メッセージが、構成されたNSSAIを搬送し、第1の要求メッセージが、第1のNSSAIを搬送し、第1のNSSAIが、構成されたNSSAIに関連付けられるか、または第1のNSSAIが、サブスクライブされたNSSAIおよび構成されたNSSAIに関連付けられる、ようにさらに構成される。
【００５４】
第3の態様または第3の態様の第1の可能な実施態様から第4の可能な実施態様のいずれか1つに関連して、第3の態様の第5の可能な実施態様では、第1の要求メッセージは、端末デバイスの識別情報を搬送する。
【００５５】
第3の態様または第3の態様の第1の可能な実施態様から第5の可能な実施態様のいずれか1つに関連して、第3の態様の第6の可能な実施態様では、応答メッセージは、許可されたNSSAI内の各S−NSSAIに対応するスライスインスタンス識別情報をさらに含む。
【００５６】
第3の態様または第3の態様の第1の可能な実施態様から第6の可能な実施態様のいずれか1つに関連して、第3の態様の第7の可能な実施態様では、処理ユニットは、
端末デバイスの登録エリア情報を取得し、
取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報を決定し、属性情報が、S−NSSAIに対応するスライスインスタンスのサービスエリアが端末デバイスの登録エリアを含むかどうかを示すために使用される、ようにさらに構成される。
【００５７】
第3の態様または第3の態様の第7の可能な実施態様に関連して、第3の態様の第8の可能な実施態様では、第1のS−NSSAIが、端末デバイスの登録エリアを含むサービスエリアに対応する、許可されたNSSAIのS−NSSAIである場合に、処理ユニットは、
第2の要求メッセージをNRFデバイスに送信するためにトランシーバユニットを制御し、第2の要求メッセージが、第1のS−NSSAIまたは第1のS−NSSAIに対応するスライスインスタンス識別情報を含み、
NRFデバイスからターゲットAMFノードのアドレス情報を受信するためにトランシーバユニットを制御し、
ターゲットAMFノードのアドレス情報に基づいて、許可されたNSSAIおよび許可されたNSSAIに対応するサービスエリア情報をターゲットAMFノードに送信するためにトランシーバユニットを制御する、ようにさらに構成される。
【００５８】
第3の態様または第3の態様の第8の可能な実施態様に関連して、第3の態様の第9の可能な実施態様では、処理ユニットは、
許可されたNSSAI内の各S−NSSAIに対応するスライスインスタンス識別情報をターゲットAMFノードに送信するためにトランシーバユニットを制御するようにさらに構成される。
【００５９】
第3の態様または第3の態様の第8の可能な実施態様に関連して、第3の態様の第10の可能な実施態様では、処理ユニットは、
属性情報をターゲットAMFノードに送信するためにトランシーバユニットを制御するようにさらに構成される。
【００６０】
第3の態様または第3の態様の第1の可能な実施態様から第10の可能な実施態様のいずれか1つに関連して、第3の態様の第11の可能な実施態様では、許可されたNSSAIは、VPLMNのNSSAIであり、応答メッセージは、VPLMNのNSSAIに対応するHPLMNのNSSAIをさらに含むか、または応答メッセージは、VPLMNのNSSAIに対応するHPLMNのNSSAIと、HPLMNのNSSAI内の各S−NSSAIに対応するスライスインスタンス識別情報とをさらに含む。
【００６１】
第4の態様によれば、スライスベース通信装置が提供される。本装置は、トランシーバユニットおよび処理ユニットを含み、
処理ユニットは、AMFノードから第1の要求メッセージを受信するためにトランシーバユニットを制御するように構成され、
処理ユニットは、応答メッセージをAMFノードに送信するためにトランシーバユニットを制御し、応答メッセージが、NSSAI、またはNSSAIおよびNSSAIに対応するサービスエリア情報を搬送する、ようにさらに構成される。
【００６２】
第4の態様に関連して、第4の態様の第1の可能な実施態様では、NSSAIは、許可されたNSSAIである。
【００６３】
第4の態様または第4の態様の第1の可能な実施態様に関連して、第4の態様の第2の可能な実施態様では、第1の要求メッセージは、第1のNSSAIを搬送し、許可されたNSSAIは、第1のNSSAIに関連付けられ、
第1のNSSAIは、サブスクライブされたNSSAIに関連付けられるか、または第1のNSSAIは、構成されたNSSAIに関連付けられるか、または第1のNSSAIは、サブスクライブされたNSSAIおよび構成されたNSSAIに関連付けられる。
【００６４】
第4の態様または第4の態様の第1の可能な実施態様に関連して、第4の態様の第3の可能な実施態様では、第1の要求メッセージは、端末デバイスの識別情報を搬送し、
処理ユニットは、
識別情報に基づいて端末デバイスのサブスクリプション情報を照会し、サブスクリプション情報が、端末デバイスのサブスクライブされたNSSAIを含み、許可されたNSSAIが、サブスクライブされたNSSAIに関連付けられる、ようにさらに構成される。
【００６５】
第4の態様に関連して、第4の態様の第4の可能な実施態様では、第1の要求メッセージは、第1のNSSAIを搬送し、NSSAIは、第1のNSSAIであり、
第1のNSSAIは、サブスクライブされたNSSAIに関連付けられるか、または第1のNSSAIは、構成されたNSSAIに関連付けられるか、または第1のNSSAIは、サブスクライブされたNSSAIおよび構成されたNSSAIに関連付けられる。
【００６６】
第4の態様または第4の態様の第4の可能な実施態様に関連して、第4の態様の第5の可能な実施態様では、第1の要求メッセージは、端末デバイスの識別情報を搬送し、
処理ユニットは、
識別情報に基づいて端末デバイスのサブスクリプション情報を照会し、サブスクリプション情報が、端末デバイスのサブスクライブされたNSSAIを含み、第1のNSSAIが、サブスクライブされたNSSAIに関連付けられる、ようにさらに構成される。
【００６７】
第4の態様または第3の態様の第2の可能な実施態様から第5の可能な実施態様および第4の態様の第1の可能な実施態様から第5の可能な実施態様のいずれか1つに関連して、第4の態様の第6の可能な実施態様では、端末デバイスのサブスクリプション情報は、端末デバイスのタイプをさらに含み、第1の要求メッセージは、端末デバイスのタイプをさらに含む。
【００６８】
第4の態様または第4の態様の第1の可能な実施態様から第6の可能な実施態様のいずれか1つに関連して、第4の態様の第7の可能な実施態様では、応答メッセージは、NSSAI内の各S−NSSAIに対応するスライスインスタンス識別情報をさらに搬送する。
【００６９】
第4の態様または第4の態様の第1の可能な実施態様から第7の可能な実施態様のいずれか1つに関連して、第4の態様の第8の可能な実施態様では、NSSAIは、VPLMNのNSSAIであり、応答メッセージは、VPLMNのNSSAIに対応するHPLMNのNSSAIをさらに含むか、または応答メッセージは、VPLMNのNSSAIに対応するHPLMNのNSSAIと、HPLMNのNSSAI内の各S−NSSAIに対応するスライスインスタンス識別情報とをさらに含む。
【００７０】
第4の態様に関連して、第4の態様の第9の可能な実施態様では、処理ユニットは、
NSSAIとNSSAIのサービスエリアとの対応関係をAMFに送信するためにトランシーバユニットを制御するようにさらに構成される。
【００７１】
第5の態様によれば、スライスベース通信デバイスが提供される。本デバイスは、トランシーバおよびプロセッサを含み、
プロセッサは、第1の要求メッセージをNSSFノードに送信するためにトランシーバを制御するように構成され、
プロセッサは、NSSFノードから応答メッセージを受信し、応答メッセージに基づいて、端末デバイスの許可されたNSSAIおよび許可されたNSSAIに対応するサービスエリア情報を取得するためにトランシーバを制御するようにさらに構成される。
【００７２】
第5の態様に関連して、第5の態様の第1の可能な実施態様では、応答メッセージに基づいて端末デバイスの許可されたNSSAIおよび許可されたNSSAIに対応するサービスエリア情報を取得するときに、プロセッサは、
応答メッセージが許可されたNSSAIおよび許可されたNSSAIに対応するサービスエリア情報を搬送する場合に、応答メッセージから許可されたNSSAIおよび許可されたNSSAIに対応するサービスエリア情報を取得するか、または
応答メッセージが許可されたNSSAIを搬送する場合に、応答メッセージから許可されたNSSAIを取得し、NSSAIとサービスエリアとの対応関係に基づいて、許可されたNSSAIに対応するサービスエリア情報を取得するか、または
応答メッセージが第1のNSSAIおよび第1のNSSAIに対応するサービスエリア情報を搬送する場合に、第1のNSSAIおよび第1のNSSAIに対応するサービスエリア情報に基づいて、許可されたNSSAIおよび許可されたNSSAIに対応するサービスエリア情報を決定する、ように特に構成される。
【００７３】
第5の態様または第5の態様の第1の可能な実施態様に関連して、第5の態様の第2の可能な実施態様では、応答メッセージが許可されたNSSAIを搬送する場合に、NSSAIとNSSAIのサービスエリアとの対応関係に基づいて、許可されたNSSAIおよび許可されたNSSAIに対応するサービスエリア情報を取得するときに、プロセッサは、
NSSFノードからNSSAIとサービスエリアとの対応関係を取得するようにさらに構成される。
【００７４】
第5の態様または第5の態様の第1の可能な実施態様および第2の可能な実施態様のいずれかに関連して、第5の態様の第3の可能な実施態様では、プロセッサは、
端末デバイスのサブスクリプション情報を照会し、サブスクリプション情報が、端末デバイスのサブスクライブされたNSSAIを含み、第1の要求メッセージが、第1のNSSAIを搬送し、第1のNSSAIが、サブスクライブされたNSSAIに関連付けられる、ようにさらに構成される。
【００７５】
第5の態様または第5の態様の第1の可能な実施態様から第3の可能な実施態様のいずれか1つに関連して、第5の態様の第4の可能な実施態様では、プロセッサは、
端末デバイスから登録要求メッセージを受信するためにトランシーバを制御し、登録要求メッセージが、構成されたNSSAIを搬送し、第1の要求メッセージが、第1のNSSAIを搬送し、第1のNSSAIが、構成されたNSSAIに関連付けられるか、または第1のNSSAIが、サブスクライブされたNSSAIおよび構成されたNSSAIに関連付けられる、ようにさらに構成される。
【００７６】
第5の態様または第5の態様の第1の可能な実施態様から第4の可能な実施態様のいずれか1つに関連して、第5の態様の第5の可能な実施態様では、第1の要求メッセージは、端末デバイスの識別情報を搬送する。
【００７７】
第5の態様または第5の態様の第1の可能な実施態様から第5の可能な実施態様のいずれか1つに関連して、第5の態様の第6の可能な実施態様では、応答メッセージは、許可されたNSSAI内の各S−NSSAIに対応するスライスインスタンス識別情報をさらに含む。
【００７８】
第5の態様または第5の態様の第1の可能な実施態様から第6の可能な実施態様のいずれか1つに関連して、第5の態様の第7の可能な実施態様では、プロセッサは、
端末デバイスの登録エリア情報を取得し、
取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報を決定し、属性情報が、S−NSSAIに対応するスライスインスタンスのサービスエリアが端末デバイスの登録エリアを含むかどうかを示すために使用される、ようにさらに構成される。
【００７９】
第5の態様または第5の態様の第7の可能な実施態様に関連して、第5の態様の第8の可能な実施態様では、第1のS−NSSAIが、端末デバイスの登録エリアを含むサービスエリアに対応する、許可されたNSSAIのS−NSSAIである場合に、プロセッサは、
第2の要求メッセージをNRFデバイスに送信するためにトランシーバを制御し、第2の要求メッセージが、第1のS−NSSAIまたは第1のS−NSSAIに対応するスライスインスタンス識別情報を含み、
NRFデバイスからターゲットAMFノードのアドレス情報を受信するためにトランシーバを制御し、
ターゲットAMFノードのアドレス情報に基づいて、許可されたNSSAIおよび許可されたNSSAIに対応するサービスエリア情報をターゲットAMFノードに送信するためにトランシーバを制御する、ようにさらに構成される。
【００８０】
第5の態様または第5の態様の第8の可能な実施態様に関連して、第5の態様の第9の可能な実施態様では、プロセッサは、
許可されたNSSAI内の各S−NSSAIに対応するスライスインスタンス識別情報をターゲットAMFノードに送信するためにトランシーバを制御するようにさらに構成される。
【００８１】
第5の態様または第5の態様の第8の可能な実施態様に関連して、第5の態様の第10の可能な実施態様では、プロセッサは、
属性情報をターゲットAMFノードに送信するためにトランシーバを制御するようにさらに構成される。
【００８２】
第5の態様または5の態様の第1の可能な実施態様から第10の可能な実施態様のいずれか1つに関連して、第5の態様の第11の可能な実施態様では、許可されたNSSAIは、VPLMNのNSSAIであり、応答メッセージは、VPLMNのNSSAIに対応するHPLMNのNSSAIをさらに含むか、または応答メッセージは、VPLMNのNSSAIに対応するHPLMNのNSSAIと、HPLMNのNSSAI内の各S−NSSAIに対応するスライスインスタンス識別情報とをさらに含む。
【００８３】
第6の態様によれば、スライスベース通信デバイスが提供される。本デバイスは、トランシーバおよびプロセッサを含み、
プロセッサは、AMFノードから第1の要求メッセージを受信するためにトランシーバを制御するように構成され、
プロセッサは、応答メッセージをAMFノードに送信するためにトランシーバを制御し、応答メッセージが、NSSAI、またはNSSAIおよびNSSAIに対応するサービスエリア情報を搬送する、ようにさらに構成される。
【００８４】
第6の態様に関連して、第6の態様の第1の可能な実施態様では、NSSAIは、許可されたNSSAIである。
【００８５】
第6の態様または第6の態様の第1の可能な実施態様に関連して、第6の態様の第2の可能な実施態様では、第1の要求メッセージは、第1のNSSAIを搬送し、許可されたNSSAIは、第1のNSSAIに関連付けられ、
第1のNSSAIは、サブスクライブされたNSSAIに関連付けられるか、または第1のNSSAIは、構成されたNSSAIに関連付けられるか、または第1のNSSAIは、サブスクライブされたNSSAIおよび構成されたNSSAIに関連付けられる。
【００８６】
第6の態様または第6の態様の第1の可能な実施態様に関連して、第6の態様の第3の可能な実施態様では、第1の要求メッセージは、端末デバイスの識別情報を搬送し、
プロセッサは、
識別情報に基づいて端末デバイスのサブスクリプション情報を照会し、サブスクリプション情報が、端末デバイスのサブスクライブされたNSSAIを含み、許可されたNSSAIが、サブスクライブされたNSSAIに関連付けられる、ようにさらに構成される。
【００８７】
第6の態様に関連して、第6の態様の第4の可能な実施態様では、第1の要求メッセージは、第1のNSSAIを搬送し、NSSAIは、第1のNSSAIであり、
第1のNSSAIは、サブスクライブされたNSSAIに関連付けられるか、または第1のNSSAIは、構成されたNSSAIに関連付けられるか、または第1のNSSAIは、サブスクライブされたNSSAIおよび構成されたNSSAIに関連付けられる。
【００８８】
第6の態様または第6の態様の第4の可能な実施態様に関連して、第6の態様の第5の可能な実施態様では、第1の要求メッセージは、端末デバイスの識別情報を搬送し、
プロセッサは、
識別情報に基づいて端末デバイスのサブスクリプション情報を照会し、サブスクリプション情報が、端末デバイスのサブスクライブされたNSSAIを含み、第1のNSSAIが、サブスクライブされたNSSAIに関連付けられる、ようにさらに構成される。
【００８９】
第6の態様または第5の態様の第2の可能な実施態様から第5の可能な実施態様および第6の態様の第1の可能な実施態様から第5の可能な実施態様のいずれか1つに関連して、第6の態様の第6の可能な実施態様では、端末デバイスのサブスクリプション情報は、端末デバイスのタイプをさらに含み、第1の要求メッセージは、端末デバイスのタイプをさらに含む。
【００９０】
第6の態様または第6の態様の第1の可能な実施態様から第6の可能な実施態様のいずれか1つに関連して、第6の態様の第7の可能な実施態様では、応答メッセージは、NSSAI内の各S−NSSAIに対応するスライスインスタンス識別情報をさらに搬送する。
【００９１】
第6の態様または第6の態様の第1の可能な実施態様から第7の可能な実施態様のいずれか1つに関連して、第6の態様の第8の可能な実施態様では、NSSAIは、VPLMNのNSSAIであり、応答メッセージは、VPLMNのNSSAIに対応するHPLMNのNSSAIをさらに含むか、または応答メッセージは、VPLMNのNSSAIに対応するHPLMNのNSSAIと、HPLMNのNSSAI内の各S−NSSAIに対応するスライスインスタンス識別情報とをさらに含む。
【００９２】
第6の態様に関連して、第6の態様の第9の可能な実施態様では、プロセッサは、
NSSAIとNSSAIのサービスエリアとの対応関係をAMFに送信するためにトランシーバを制御するようにさらに構成される。
【００９３】
第7の態様によれば、コンピュータ記憶媒体が提供される。コンピュータ記憶媒体は、第1の態様および第1の態様の可能な実施態様で提供される方法を実行するために、第5の態様で提供されるプロセッサによって実行されるコンピュータソフトウェア命令を記憶するように構成される。
【００９４】
第8の態様によれば、コンピュータ記憶媒体が提供される。コンピュータ記憶媒体は、第2の態様および第2の態様の可能な実施態様で提供される方法を実行するために、第6の態様で提供されるプロセッサによって実行されるコンピュータソフトウェア命令を記憶するように構成される。
【図面の簡単な説明】
【００９５】
【図１】本発明の実施形態によるシステムアーキテクチャの概略図である。
【図２】本発明の実施形態によるスライスベース通信方法の概略フローチャートである。
【図３】本発明の実施形態によるスライスベース通信方法の概略フローチャートである。
【図４】本発明の実施形態によるスライスベース通信方法の概略フローチャートである。
【図５】本発明の実施形態によるスライスベース通信方法の概略フローチャートである。
【図６】本発明の実施形態によるスライスベース通信方法の概略フローチャートである。
【図７】本発明の実施形態によるスライスベース通信方法の概略フローチャートである。
【図８】本発明の実施形態によるスライスベース通信方法の概略フローチャートである。
【図９】本発明の実施形態によるスライスベース通信方法の概略フローチャートである。
【図１０】本発明の実施形態によるスライスベース通信方法の概略フローチャートである。
【図１１】本発明の実施形態によるスライスベース通信方法の概略フローチャートである。
【図１２】本発明の実施形態によるスライスベース通信装置の概略構成図である。
【図１３】本発明の実施形態によるスライスベース通信装置の概略構成図である。
【図１４】本発明の実施形態によるスライスベース通信デバイスの概略構成図である。
【図１５】本発明の実施形態によるスライスベース通信デバイスの概略構成図である。
【発明を実施するための形態】
【００９６】
以下では、本発明の実施形態の添付図面を参照して本発明の実施形態の技術的解決策を明確かつ完全に説明する。
【００９７】
図1は、本発明の実施形態に適用されるシステムアーキテクチャの例を示す。スライスベース通信制御は、システムアーキテクチャに基づいて実施され得る。
【００９８】
ネットワークスライスは、物理ネットワークを複数の仮想ネットワークに分割し、これにより、複数のサービスは、同じネットワークインフラストラクチャを共有しながら比較的独立して実施される。各「ネットワークスライス」は、サービスシナリオ要求に基づいてネットワーク機能のカスタマイズおよび調整ならびに対応するネットワーク機能のオーケストレーションおよび管理を実行する。ネットワーク機能は、カバレッジエリア、期間、容量、速度、レイテンシ、信頼性、セキュリティ、および可用性などを含む。
【００９９】
ネットワークスライスは、インスタンス化されたコアネットワークアーキテクチャと見なされ得る。現在、第3世代パートナーシッププロジェクト（the third generation partnership project、3GPP）は、ネットワークスライスインスタンスを拡張モバイルブロードバンド（enhanced mobile broadband、eMBB）サービス、大規模マシンタイプ通信（massive machine type communication、mMTC）サービス、および超高信頼性低レイテンシ通信（ultra−reliable and low latency communications、URLLC）サービスに分割している。eMBBは主に、レートおよびモビリティに関して比較的高い要求を有する端末、例えば携帯電話およびマルチメディアデバイスなど向けである。mMTCは主に、モノのインターネットのデバイス、またはモビリティおよびレートに関して比較的低い要求を有する他の大規模サービスに使用される。URLLCは主に、インターネットオブビークル、またはレイテンシおよび信頼性に関して非常に高い要求を有する他のタイプのサービスおよびデバイス向けである。例えば、携帯電話のユーザは、4Kの高解像度ビデオを高速でダウンロードまたは視聴するためにeMBBタイプのネットワークスライスにアクセスし得る。センサデバイスは、小さなデータパケットを送信してシステム構成を更新するためにmMTCのネットワークスライスにアクセスし得る。ユーザは、サービス要求を満たし、比較的望ましいユーザ体験を実現するために1つ以上またはすべてのネットワークスライスに同時にアクセスし得る。
【０１００】
本発明のこの実施形態で提供されるスライスベース通信方法のシステムアーキテクチャは、無線アクセスネットワーク（Radio Access Network、RAN）ノード101と、アクセスおよびモビリティ管理機能（Access and Mobility Management Function、AMF）ノード102と、ネットワークスライス選択機能（Network Slice Selection Function、NSSF）ノード103と、複数のスライス104とを含む。各スライス104の特定の機能は、セッション管理機能（session management function、SMF）およびユーザプレーン機能（User Plane Function、UPF）を少なくとも含む。言い換えれば、各スライス103は、SMFノードおよびUPFノードを含む。端末デバイスは、RANノード101を使用して複数のスライスにアクセスし、AMFノード102は、端末デバイスをサポートしているスライスインスタンスに関する情報を端末デバイスに提供し得る。
【０１０１】
RANノードは、ワイヤレスローカルエリアネットワーク（英語：wireless local area networks、WLAN）のアクセスポイント（access point、AP）、またはグローバル・システム・フォー・モバイル・コミュニケーションズ（Global System for Mobile Communications、GSM（登録商標））もしくは符号分割多元接続（Code−division multiple access、CDMA）の基地トランシーバ局（Base transceiver station、BTS）であってもよく、または広帯域符号分割多元接続（Wideband Code Division Multiple Access、WCDMA（登録商標））のノードB（NodeB、NB）であってもよく、またはロングタームエボリューション（Long Term Evolution、LTE）の進化型ノードB（Evolutional Node B、eNBもしくはeNodeB）、再生局、アクセスポイント、車載デバイス、ウェアラブルデバイス、将来の5Gネットワークのネットワークデバイス、もしくは将来の公衆陸上移動ネットワーク（public land mobile network、PLMN）のネットワークデバイス、例えば、5Gコアネットワークデバイスに接続され得る基地局、送受信ポイント（Transmission and Reception Point、TRP）、集中処理ユニット（Centralized Unit、CU）、もしくは分散処理ユニット（Distributed Unit、DU）などであってもよい。
【０１０２】
AMFノード102は、端末デバイスのアクセスおよびモビリティを管理するネットワーク機能を有し、RANと通信し、端末デバイスに特定のスライスを提供する。
【０１０３】
NSSFノード103は、AMFノード102と通信し、端末デバイスをサポートしているスライスを端末デバイスのために選択し、端末デバイスをサポートしているスライスに関する情報をAMFノード102に送信するように構成される。
【０１０４】
本発明のこの実施形態では、端末デバイスは、ワイヤレスフィディリティ（wireless fidelity、WiFi）モジュールを有するデバイス、例えば、携帯電話、ハンドリング、タブレットコンピュータ、ノートブックコンピュータ、ウルトラモバイルパーソナルコンピュータ（Ultra−Mobile Personal Computer、UMPC）、パーソナルデジタルアシスタント（Personal Digital Assistant、PDA）デバイス、車載デバイス、ウェアラブルデバイス、またはネットワークアクセス機能を有するセンサなどであってもよく、通信端末のみに限定されない。
【０１０５】
前述の説明に基づいて、図2は、本発明の実施形態によるスライスベース通信方法の手順の例を示す。スライスベース通信は、この手順で実施され得る。以下では、図1および図2を参照して、スライスベース通信のための方法を説明する。
【０１０６】
図2に示されているように、この手順は、特に以下を含む。
【０１０７】
ステップ201：AMFノードは、第1の要求メッセージをNSSFノードに送信する。
【０１０８】
本発明のこの実施形態では、登録プロセスでRANノードにアクセスした後、端末デバイスは、端末デバイスによってサポートされているコアネットワークスライスにアクセスする必要がある。この場合、RANノードによって選択されたAMFノードが、必要とされるコアネットワークスライスサービスをUEに提供し得ない場合、AMFノードは、第1の要求メッセージをNSSFノードに送信する。第1の要求メッセージは、端末デバイスに関連付けられたスライス情報を要求または照会するために使用される。第1の要求メッセージは、第1のNSSAIまたは端末デバイスの識別情報を搬送し得る。任意選択で、第1の要求メッセージは、代替的には、第1のNSSAIと端末デバイスの識別情報との両方を搬送してもよい。第1の要求メッセージによって搬送される第1のNSSAIは、第1のNSSAIまたは端末デバイスの許可されたNSSAIに対応するサービスエリア情報および許可されたNSSAIに対応するサービスエリア情報を返すようにNSSFノードに要求するために使用される。端末デバイスの識別情報は、端末デバイスのサブスクリプション情報を照会するためにNSSFノードによって使用される。端末デバイスの識別情報は、端末デバイスによって送信され、RANノードによって転送され、AMFノードによって受信される登録要求メッセージによって搬送され得るか、または端末デバイスのコンテキストからAMFによって取得され得る。端末デバイスの識別情報は、端末デバイスの永続的な識別子SUPIであってもよい。任意選択で、登録要求メッセージは、初期登録要求メッセージまたはトラッキングエリア位置更新要求メッセージであってもよい。
【０１０９】
本発明のこの実施形態では、NSSAIは、複数のS−NSSAIの集合であり、1つのスライスインスタンスは、1つのS−NSSAIをサポートしてもよく、もしくは複数のS−NSSAIをサポートしてもよく、または1つのS−NSSAIは、1つ以上のスライスインスタンスに対応してもよいことに留意されたい。1つのS−NSSAIが、複数のスライスインスタンスに対応する場合、本発明のこの実施形態では、スライスインスタンスは、ネットワークスライスインスタンス識別子NSI ID（Network Slice instance identifier）を使用して決定され得る。
【０１１０】
実施態様では、AMFノードは、端末デバイスのサブスクリプション情報を照会し、端末デバイスのサブスクリプション情報またはサブスクリプション情報の一部を第1の要求メッセージに追加する。例えば、AMFノードは、端末デバイスのホームUDMデバイスにサブスクリプション情報照会要求を送信してもよい。サブスクリプション情報照会要求は、端末デバイスの識別子を搬送し、端末デバイスのサブスクリプション情報を照会するために使用される。UDMデバイスは、端末デバイスのサブスクリプション情報をAMFノードに返し、端末デバイスのサブスクリプション情報は、端末デバイスのサブスクライブされたNSSAIを含む。この場合、AMFノードは、サブスクライブされたNSSAIに基づいて第1のNSSAIを決定する。したがって、第1の要求メッセージによって搬送される第1のNSSAIは、サブスクライブされたNSSAIに関連付けられる。言い換えれば、第1のNSSAIは、端末デバイスのサブスクライブされたNSSAIに関係付けられる。例えば、第1のNSSAIは、サブスクライブされたNSSAIの全体集合または部分集合であってもよい。
【０１１１】
任意選択で、AMFノードによって受信される、端末デバイスからの登録要求メッセージは、構成されたNSSAIをさらに搬送する。AMFノードは、構成されたNSSAIに基づいて第1のNSSAIを決定する。この場合、第1の要求メッセージによって搬送される第1のNSSAIは、構成されたNSSAIに関連付けられる。言い換えれば、第1のNSSAIは、構成されたNSSAIに関係付けられる。例えば、第1のNSSAIは、構成されたNSSAIの全体集合または部分集合であってもよい。
【０１１２】
任意選択で、端末デバイスから受信される登録要求メッセージはまた、AMFノードが照会によって端末デバイスのサブスクライブされたNSSAIを取得する間に、構成されたNSSAIを搬送する。AMFノードは、サブスクライブされたNSSAIおよび構成されたNSSAIに基づいて第1のNSSAIを決定する。この場合、第1の要求メッセージによって搬送される第1のNSSAIは、サブスクライブされたNSSAIと構成されたNSSAIとの両方に関連付けられる。例えば、第1のNSSAIは、サブスクライブされたNSSAIの全体集合もしくは部分集合であってもよく、構成されたNSSAIの全体集合もしくは部分集合であってもよく、またはサブスクライブされたNSSAIと構成されたNSSAIとの共通集合であってもよい。
【０１１３】
任意選択で、照会によりAMFノードによって取得される端末デバイスのサブスクリプション情報は、端末デバイスのタイプをさらに含んでもよい。この場合、第1の要求メッセージもまた、端末デバイスのタイプをさらに含んでもよい。端末デバイスのタイプは、端末デバイスの許可されたNSSAI内の各S−NSSAIに対応するスライスインスタンス識別情報をさらに決定するためにNSSFノードによって使用される。
【０１１４】
別の実施態様では、AMFノードによってNSSFノードに送信される第1の要求メッセージが、端末デバイスの識別情報を搬送する場合、NSSFノードは、端末デバイスの識別情報に基づいて端末デバイスのホームUDMデバイスから端末デバイスのサブスクリプション情報を自律的に照会し得る。
【０１１５】
ステップ202：NSSFノードは、AMFノードから第1の要求メッセージを受信し、応答メッセージをAMFノードに送信する。
【０１１６】
第1の要求メッセージを受信した後、NSSFノードは、応答メッセージをAMFノードに送信する。応答メッセージは、NSSAIを搬送し得、または応答メッセージは、NSSAIとNSSAIに対応するサービスエリア情報とを搬送し得る。
【０１１７】
例えば、ステップ202は、以下の方法のいずれか1つで実行されてもよい。
【０１１８】
（1）第1の要求メッセージが第1のNSSAIを搬送する場合、第1のNSSAIは、サブスクライブされたNSSAIに関連付けられるか、または第1のNSSAIは、端末デバイスの登録要求メッセージによって搬送される構成されたNSSAIに関連付けられるか、または第1のNSSAIは、サブスクライブされたNSSAIおよび構成されたNSSAIに関連付けられる。NSSFノードは、第1のNSSAIに基づいて端末デバイスの許可されたNSSAIを決定し得、その場合、許可されたNSSAIは、第1のNSSAIに関連付けられる。例えば、許可されたNSSAIは、第1のNSSAIの全体集合または部分集合であってもよい。この場合、NSSFノードによってAMFノードに送信される応答メッセージは、NSSAIを搬送し、その場合、NSSAIは、許可されたNSSAIである。任意選択で、応答メッセージは、許可されたNSSAIに対応するサービスエリア情報をさらに搬送してもよい。
【０１１９】
（2）第1の要求メッセージが、端末デバイスの識別情報を搬送する場合、NSSFノードは、端末デバイスの識別情報に基づいて端末デバイスのホームUDMデバイスから端末デバイスのサブスクリプション情報をさらに照会する。サブスクリプション情報は、端末デバイスのサブスクライブされたNSSAIを含んでもよい。NSSFノードは、サブスクライブされたNSSAIに基づいて、許可されたNSSAIを取得する。例えば、許可されたNSSAIは、サブスクライブされたNSSAIの全体集合または部分集合であってもよい。この場合、NSSFノードによってAMFノードに送信される応答メッセージは、NSSAIを搬送し、その場合、NSSAIは、許可されたNSSAIである。任意選択で、応答メッセージは、許可されたNSSAIに対応するサービスエリア情報をさらに搬送してもよい。
【０１２０】
（3）第1の要求メッセージが、端末デバイスの識別情報および第1のNSSAIを搬送する場合、NSSFノードは、端末デバイスの識別情報に基づいて端末デバイスのホームUDMデバイスから端末デバイスのサブスクリプション情報を照会し得る。サブスクリプション情報は、端末デバイスのサブスクライブされたNSSAIを含んでもよい。NSSFノードは、サブスクライブされたNSSAIおよび第1のNSSAIに基づいて、許可されたNSSAIを取得する。許可されたNSSAIは、第1のNSSAIおよびサブスクライブされたNSSAIに関連付けられる。例えば、許可されたNSSAIは、サブスクライブされたNSSAIの全体集合もしくは部分集合であってもよく、第1のNSSAIの全体集合もしくは部分集合であってもよく、またはサブスクライブされたNSSAIと第1のNSSAIとの共通集合であってもよい。第1のNSSAIは、端末デバイスの登録要求メッセージによって搬送される構成されたNSSAIであってもよい。この場合、NSSFノードによってAMFノードに送信される応答メッセージは、NSSAIを搬送し、その場合、NSSAIは、許可されたNSSAIである。任意選択で、応答メッセージは、許可されたNSSAIに対応するサービスエリア情報をさらに搬送してもよい。
【０１２１】
（4）第1の要求メッセージが第1のNSSAIを搬送する場合、応答メッセージによって搬送されるNSSAIは、第1のNSSAIであってもよく、応答メッセージは、第1のNSSAIに対応するサービスエリアを搬送してもよい。
【０１２２】
（5）第1の要求メッセージが、端末デバイスの識別情報を搬送する場合、NSSFノードは、端末デバイスの識別情報に基づいて端末デバイスのホームUDMデバイスから端末デバイスのサブスクリプション情報をさらに照会し得る。サブスクリプション情報は、端末デバイスのサブスクライブされたNSSAIを含んでもよい。NSSFノードは、サブスクライブされたNSSAIに基づいて第1のNSSAIを取得する。第1のNSSAIは、サブスクライブされたNSSAIに関連付けられる。例えば、第1のNSSAIは、サブスクライブされたNSSAIの全体集合または部分集合であってもよい。NSSFノードによってAMFノードに送信される応答メッセージは、第1のNSSAIと第1のNSSAIに対応するサービスエリア情報とを搬送する。
【０１２３】
例えば、応答メッセージによって搬送される許可されたNSSAI（または第1のNSSAI）は、S−NSSAI 1、S−NSSAI 2、およびS−NSSAI 3を含み、応答メッセージは、表1に示されている内容を搬送する。
【０１２４】
【表１】
2020519061.tif 000003
【０１２５】
任意選択で、前述のいくつかの実施態様では、応答メッセージは、NSSAI内の各S−NSSAIに対応するスライスインスタンス識別情報をさらに搬送してもよい。例えば、応答メッセージによって搬送されるNSSAIが、許可されたNSSAIである場合、応答メッセージは、許可されたNSSAI内の各S−NSSAIに対応するスライスインスタンス識別情報をさらに搬送してもよい。応答メッセージによって搬送されるNSSAIが、第1のNSSAIである場合、応答メッセージは、第1のNSSAI内の各S−NSSAIに対応するスライスインスタンス識別情報をさらに搬送してもよい。例えば、応答メッセージは、表2に示されているように、S−NSSAIに対応するスライスインスタンス識別情報をさらに搬送する。
【０１２６】
【表２】
2020519061.tif 000004
【０１２７】
任意選択で、応答メッセージによって搬送されるNSSAIが、VPLMNのNSSAIである場合、それは、端末デバイスが現在ローミング状態にあることを示す。この場合、応答メッセージは、VPLMNのNSSAIに対応するHPLMNのNSSAIをさらに含んでもよい。任意選択で、応答メッセージは、代替的には、VPLMNのNSSAIに対応するHPLMNのNSSAIと、HPLMNのNSSAI内の各S−NSSAIに対応するスライスインスタンス識別情報とをさらに含んでもよい。例えば、この場合、NSSFノードは、VPLMNのNSSFノードである。VPLMNのNSSFノードは、ホームルーテッド（home routed）セッションのセットアップがローミングシナリオでサポートされているときに適切なHPLMNスライスインスタンスを選択するために、VPLMNのNSSAIとHPLMNのNSSAIとの対応関係に基づいて、VPLMNのNSSAIに対応するHPLMNのNSSAIを取得し得る。
【０１２８】
任意選択で、第1の要求メッセージは、端末デバイスの登録エリア情報をさらに搬送してもよく、端末デバイスの登録エリア情報は、RANノードの位置情報に基づいてAMFノードによって取得される。この場合、NSSFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報を決定し得、その場合、属性情報は、S−NSSAIに対応するスライスインスタンスのサービスエリアが端末デバイスの登録エリアを含むかどうかを示すために使用される。応答メッセージは、許可されたNSSAI内の各S−NSSAIに対応するスライスインスタンスの属性情報を搬送する。
【０１２９】
ステップ203：AMFノードは、NSSFノードから応答メッセージを受信し、応答メッセージに基づいて、端末デバイスの許可されたNSSAIおよび許可されたNSSAIに対応するサービスエリア情報を取得する。
【０１３０】
NSSFノードから応答メッセージを受信した後、AMFノードは、応答メッセージによって搬送された異なる内容に基づいて異なる方法で、端末デバイスの許可されたNSSAIおよび許可されたNSSAIに対応するサービスエリア情報を取得し得る。
【０１３１】
例えば、端末デバイスの許可されたNSSAIおよび許可されたNSSAIに対応するサービスエリア情報は、以下の方法のいずれか1つで取得されてもよい。
【０１３２】
（1）応答メッセージが許可されたNSSAIおよび許可されたNSSAIに対応するサービスエリア情報を搬送する場合、AMFノードは、許可されたNSSAIおよび許可されたNSSAIに対応するサービスエリア情報を直接取得し得る。
【０１３３】
（2）応答メッセージが許可されたNSSAIを搬送する場合、AMFノードは、許可されたNSSAIを取得し、NSSAIとサービスエリアとの対応関係に基づいて、許可されたNSSAIに対応するサービスエリア情報を取得する。この方法では、AMFノードは、NSSFノードからNSSAIとサービスエリアとの対応関係を最初に取得し、NSSAIとサービスエリアとの対応関係および許可されたNSSAIに基づいて、許可されたNSSAIに対応するサービスエリア情報を取得し得る。任意選択で、NSSAIとサービスエリアとの対応関係を取得した後、AMFノードは、この対応関係をローカルに記憶してもよく、これにより、この対応関係は、使用中にいつでも好適に呼び出され、NSSFノードから取得される必要がなくなる。
【０１３４】
（3）応答メッセージが第1のNSSAIおよび第1のNSSAIに対応するサービスエリア情報を搬送する場合、第1のNSSAIおよび第1のNSSAIに対応するサービスエリア情報に基づいて、AMFノードは、許可されたNSSAIおよび許可されたNSSAIに対応するサービスエリア情報を決定する。
【０１３５】
任意選択で、前述のいくつかの方法において、AMFノードによって受信される応答メッセージは、許可されたNSSAI内の各S−NSSAIに対応するスライスインスタンス識別情報をさらに搬送してもよい。
【０１３６】
任意選択で、AMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定してもよく、その場合、属性情報は、S−NSSAIに対応するスライスインスタンスのサービスエリアが端末デバイスの登録エリアを含むかどうかを示すために使用される。例えば、表1において、S−NSSAI 1に対応するスライスインスタンスのサービスエリアは、端末デバイスの登録エリアを含み、S−NSSAI 3に対応するスライスインスタンスのサービスエリアは、端末デバイスの登録エリアを含まない。
【０１３７】
任意選択で、許可されたNSSAIおよび許可されたNSSAIに対応するサービスエリア情報を取得した後に、AMFノードが端末デバイスによってサポートされているAMFノードではないことを発見したとき、AMFノードは、端末デバイスをターゲットAMFノードに再配置してもよく、第2の要求メッセージをNRFデバイスにさらに送信してもよい。第2の要求メッセージは、第1のS−NSSAIまたは第1のS−NSSAIに対応するスライスインスタンスの識別子を含む。第1のS−NSSAIは、端末デバイスの登録エリアを含むサービスエリアに対応する、許可されたNSSAIのS−NSSAIである。第1のS−NSSAIに対応するスライスインスタンスのサービスエリアは、端末デバイスの登録エリアを含む。第2の要求メッセージは、端末デバイスのターゲットAMFノードのアドレス情報を返すようにNRFデバイスに要求するために使用される。NRFデバイスからターゲットAMFノードのアドレス情報を受信した後、AMFノードは、ターゲットAMFノードのアドレス情報に基づいて、取得された許可されたNSSAIおよび許可されたNSSAIに対応するサービスエリア情報をターゲットAMFノードに送信する。ターゲットAMFノードは、端末デバイスのセッションセットアップ要求を受信したときにセッションセットアップ要求に応答してスライスインスタンスを決定するために、許可されたNSSAIおよび許可されたNSSAIに対応するサービスエリア情報を記憶する。
【０１３８】
任意選択で、AMFノードは、許可されたNSSAI内の各単一ネットワークスライス選択支援情報S−NSSAIに対応するスライスインスタンス識別情報をターゲットAMFノードにさらに送信してもよい。任意選択で、AMFノードは、許可されたNSSAI内の各S−NSSAIに対応するスライスインスタンスの属性情報をターゲットAMFノードにさらに送信してもよい。これは、ターゲットAMFとNSSFノードとの間の繰り返される対話を回避し、シグナリング交換および処理効率を向上させ得る。任意選択で、ターゲットAMFノードは、表5に示されているように、許可されたNSSAI内の各S−NSSAIが端末デバイスに対応する登録エリアでサポートまたは許可されているかどうかを端末デバイスに示し得る。これは、要求されたS−NSSAIのサービスエリアが登録エリアを含まない、すなわち、端末デバイスがその後セッション要求を開始するときにS−NSSAIが登録エリアでサポートされていないために発生する追加のシグナリングオーバヘッドを回避し得る。
【０１３９】
前述の実施形態では、AMFノードは、第1の要求メッセージをNSSFノードに送信し、AMFノードは、NSSFノードから応答メッセージを受信し、応答メッセージに基づいて、端末デバイスの許可されたネットワークスライス選択支援情報NSSAIおよび許可されたNSSAIに対応するサービスエリア情報を取得する。AMFノードは、端末デバイスが移動するために発生する登録エリアの変更後にAMFノードとNSSFノードとの間の繰り返される対話を回避するために、端末デバイスの許可されたネットワークスライス選択支援情報NSSAIおよび許可されたNSSAIに対応するサービスエリア情報をNSSFノードから取得する。したがって、これは、シグナリング交換および処理効率を向上させ、システムオーバヘッドを低減する。
【０１４０】
前述の説明に基づいて、本発明の実施形態をよりよく説明するために、以下では、特定の実施シナリオにおいて、本発明の実施形態で提供されるスライスベース通信手順を説明する。
【０１４１】
図3に示されているように、端末デバイスが非ローミングシナリオにあるとき、スライスベース通信手順は、以下の特定のステップを含む。
【０１４２】
ステップ301：AMFノードは、サブスクリプション情報照会要求メッセージをUDMデバイスに送信する。
【０１４３】
端末デバイスによって送信され、RANによって転送された登録要求メッセージを受信した後、AMFノードは、UDMデバイスから端末デバイスのサブスクリプション情報を照会し得る。サブスクリプション情報照会要求メッセージは、端末デバイスのSUPIを搬送する。端末デバイスのサブスクリプション情報は、端末デバイスのSUPIを使用して照会される。任意選択で、登録要求メッセージは、構成されたNSSAIをさらに含んでもよい。
【０１４４】
ステップ302．UDMデバイスは、サブスクリプション情報応答メッセージをAMFノードに返す。
【０１４５】
UDMデバイスは、AMFノードによって送信された端末デバイスのSUPIに基づいて端末デバイスのサブスクリプション情報を取得し、サブスクリプション情報応答メッセージをAMFノードに返す。サブスクリプション情報応答メッセージは、端末デバイスのサブスクリプション情報を搬送する。サブスクリプション情報は、端末デバイスのサブスクライブされたNSSAIを含み、任意選択で、端末デバイスのタイプ情報をさらに含んでもよい。
【０１４６】
ステップ303：AMFノードは、第1の要求メッセージをNSSFノードに送信する。
【０１４７】
第1の要求メッセージは、第1のNSSAIを搬送する。第1のNSSAIは、端末デバイスのサブスクリプション情報および／または端末デバイスの登録要求メッセージによって搬送される構成されたNSSAIに基づいてAMFノードによって取得され得る。第1のNSSAIは、サブスクリプション情報および／または構成されたNSSAIに関連付けられる。
【０１４８】
ステップ304：NSSFノードは、許可されたNSSAIおよび許可されたNSSAIに対応するサービスエリア情報を取得する。
【０１４９】
NSSFノードは、NSSAIと、NSSFノードによってOAMシステムから取得されるサービスエリアとの対応関係、第1のNSSAI、および他の情報に基づいて端末デバイスの許可されたNSSAIおよび許可されたNSSAIに対応するサービスエリア情報を取得し得る。許可されたNSSAIは、第1のNSSAIに関連付けられ、第1のNSSAIの全体集合または部分集合であってもよい。
【０１５０】
ステップ305：NSSFノードは、応答メッセージをAMFノードに送信する。
【０１５１】
応答メッセージは、許可されたNSSAIおよび許可されたNSSAIに対応するサービスエリア情報を搬送する。任意選択で、応答メッセージは、例えば表1または表2に示されているように、許可されたNSSAI内の各S−NSSAIに対応するスライスインスタンス識別情報をさらに含んでもよい。
【０１５２】
ステップ306：AMFノードは、ネットワーク要素発見要求をNRFデバイスに送信する。
【０１５３】
取得された端末デバイスの許可されたNSSAIおよび許可されたNSSAIに対応するサービスエリア情報ならびに端末デバイスの登録エリア情報に基づいて、AMFノードは、許可されたNSSAI内の各S−NSSAIに対応するスライスインスタンスの属性情報を決定し、その場合、属性情報は、S−NSSAIに対応するスライスインスタンスのサービスエリアが端末デバイスの登録エリアを含むかどうかを示すために使用される。
【０１５４】
ネットワーク要素発見要求によって搬送されるスライスインスタンスまたはS−NSSAIに対応するスライスインスタンスの属性情報は、S−NSSAIに対応するスライスインスタンスまたは上記スライスインスタンスのサービスエリアが端末デバイスの登録エリアを含むかどうかを示す。
【０１５５】
ネットワーク要素発見要求に含まれる内容は、NSSFノードによって送信された応答メッセージの内容に基づいてさらに決定されてもよい。応答メッセージが表1に示されている内容を搬送する場合、ネットワーク要素発見要求によって搬送され得る内容は、表3に示されているものである。スライスインスタンス識別子3を有するスライスインスタンスのサービスエリアが端末デバイスの登録エリアを含まないと仮定すると、ネットワーク要素発見要求は、スライスインスタンス識別子1および2を有するスライスインスタンスの情報のみを搬送する。応答メッセージが表2に示されている内容を搬送する場合、ネットワーク要素発見要求によって搬送され得る内容は、表4に示されているものである。スライスS−NSSAI 3に対応するスライスインスタンスのサービスエリアが端末デバイスの登録エリアを含まないと仮定すると、ネットワーク要素発見要求は、スライスS−NSSAI 1および2の情報のみを搬送する。
【０１５６】
【表３】
2020519061.tif 000005
【０１５７】
【表４】
2020519061.tif 000006
【０１５８】
ステップ307：NRFデバイスは、ネットワーク要素発見要求応答メッセージをAMFノードに送信する。
【０１５９】
ネットワーク要素発見要求応答メッセージは、ターゲットAMFノードのアドレス情報を含む。NRFデバイスは、ネットワーク要素発見要求メッセージによって搬送された内容に基づいて、端末デバイスにサービスを提供するターゲットAMFノードを決定する。言い換えれば、端末デバイスは、ターゲットAMFノードに再配置され得る。
【０１６０】
ステップ308．AMFノードは、非アクセス層メッセージと、ステップ305でAMFノードによって取得された許可されたNSSAIおよび許可されたNSSAIに対応するサービスエリア情報とをターゲットAMFノードに送信する。
【０１６１】
非アクセス層メッセージは、ステップ301の登録要求メッセージである。
【０１６２】
任意選択で、許可されたNSSAIは、ステップ306の許可されたNSSAI内の各S−NSSAIに対応するスライスインスタンスの属性情報を含む。代替的には、AMFノードは、属性情報をターゲットAMFノードに送信する。
【０１６３】
任意選択で、AMFノードは、RANノードを使用して、非アクセス層メッセージと、ステップ305でAMFノードによって取得された許可されたNSSAIおよび許可されたNSSAIに対応するサービスエリア情報とをターゲットAMFノードに送信してもよい。例えば、AMFノードは、登録要求メッセージならびにターゲットAMFノードのアドレス情報または識別情報を再配置するようにRANノードに命令する。RANノードは、非アクセス層メッセージと、ステップ305でAMFノードによって取得された許可されたNSSAIおよび許可されたNSSAIに対応するサービスエリア情報と、登録要求メッセージとをターゲットAMFノードに転送する。
【０１６４】
任意選択で、RANノードを使用してAMFノードによってターゲットAMFノードに送信され得る情報は、ステップ306の属性情報をさらに含んでもよい。
【０１６５】
ステップ309：ターゲットAMFノードは、端末デバイスのセッションセットアップ要求を受信したときにセッションセットアップ要求に対してスライスインスタンスを決定するために、AMFノードによって送信された許可されたNSSAIおよび許可されたNSSAIに対応するサービスエリア情報を記憶する。
【０１６６】
任意選択で、ターゲットAMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定し、その場合、属性情報は、S−NSSAIに対応するスライスインスタンスのサービスエリアが端末デバイスの登録エリアを含むかどうかを示し、属性情報に基づいて、許可されたNSSAI内の各S−NSSAIが登録エリアでサポートまたは許可されているかどうかを端末デバイスに示すために使用される。例えば、これは、表5に示されているものであってもよい。
【０１６７】
例えば、この指示は、RANノードを使用してAMFによって端末デバイスに送信される登録応答メッセージによって搬送されてもよい。
【０１６８】
【表５】
2020519061.tif 000007
【０１６９】
この実施形態では、許可されたNSSAIおよび許可されたNSSAIに対応するサービスエリア情報を取得した後、NSSFノードは、許可されたNSSAIおよび許可されたNSSAIに対応するサービスエリア情報をAMFノードに送信し、これにより、AMFノードは、端末デバイスのために適切なスライスインスタンスを選択する。
【０１７０】
図4に示されているように、インタフェースが、NSSFノードとUDMデバイスとの間に設けられ、NSSFノードおよびUDMデバイスは、端末デバイスが非ローミングシナリオにあるときに互いに通信し得る。このシナリオでは、NSSFノードは、端末デバイスのサブスクリプション情報を自律的に照会し得る。このシナリオでは、スライスベース通信手順は、以下の特定のステップを含む。
【０１７１】
ステップ401．AMFノードは、端末デバイスによって送信され、RANによって転送された登録要求メッセージを受信する。
【０１７２】
ステップ402：AMFノードは、第1の要求メッセージをNSSFノードに送信する。
【０１７３】
AMFノードが、AMFノードが端末デバイスにサービスを提供し得ないことを発見した場合、またはAMFが、AMFノードが端末デバイスにサービスを提供し得るかどうかを判定し得ない場合に、AMFは、第1の要求メッセージを送信する。第1の要求メッセージは、端末デバイスのSUPIを搬送する。端末デバイスによって送信される登録要求メッセージが、構成されたNSSAIを搬送する場合、第1の要求メッセージは、構成されたNSSAIをさらに搬送し得る。端末デバイスによって送信される登録要求メッセージが、構成されたNSSAIを搬送しない場合、第1の要求メッセージは、構成されたNSSAIを搬送しない。
【０１７４】
ステップ403：NSSFノードは、サブスクリプション情報照会要求をUDMデバイスに送信する。
【０１７５】
サブスクリプション情報照会要求は、AMFノードによって送信され、NSSFノードによって受信される第1の要求メッセージによって搬送される端末デバイスのSUPIを含む。NSSFノードは、端末デバイスのSUPIに基づいてUDMから端末デバイスのサブスクリプション情報を照会する。
【０１７６】
ステップ404．UDMデバイスは、サブスクリプション情報応答メッセージをNSSFノードに返す。
【０１７７】
UDMデバイスは、NSSFノードによって送信された端末デバイスのSUPIに基づいて端末デバイスのサブスクリプション情報を取得し、サブスクリプション情報応答メッセージをNSSFノードに返す。サブスクリプション情報応答メッセージは、端末デバイスのサブスクリプション情報を搬送する。サブスクリプション情報は、端末デバイスのサブスクライブされたNSSAIを含み、任意選択で、端末デバイスのタイプ情報をさらに含んでもよい。
【０１７８】
ステップ405：NSSFノードは、端末デバイスの許可されたNSSAIおよび許可されたNSSAIに対応するサービスエリア情報を取得する。
【０１７９】
NSSFノードは、NSSAIと、NSSFノードによってOAMシステムから取得されるサービスエリアとの対応関係、UDMから取得される端末デバイスのサブスクリプション情報によって搬送されるサブスクライブされたNSSAI、およびAMFノードによって送信される第1の要求メッセージによって搬送される構成されたNSSAIなどの情報に基づいて、端末デバイスの許可されたNSSAIおよび許可されたNSSAIに対応するサービスエリア情報を取得し得る。許可されたNSSAIは、サブスクライブされたNSSAIおよび／または構成されたNSSAIに関連付けられ、サブスクライブされたNSSAIの全体集合もしくは部分集合、構成されたNSSAIの全体集合もしくは部分集合、またはサブスクライブされたNSSAIと構成されたNSSAIとの共通集合であってもよい。
【０１８０】
ステップ406：NSSFノードは、応答メッセージをAMFノードに送信する。
【０１８１】
応答メッセージは、許可されたNSSAIおよび許可されたNSSAIに対応するサービスエリア情報を搬送する。任意選択で、応答メッセージは、例えば表1または表2に示されているように、許可されたNSSAI内の各S−NSSAIに対応するスライスインスタンス識別情報をさらに含んでもよい。
【０１８２】
ステップ407：AMFノードは、ネットワーク要素発見要求をNRFデバイスに送信する。
【０１８３】
取得された端末デバイスの許可されたNSSAIおよび許可されたNSSAIに対応するサービスエリア情報ならびに端末デバイスの登録エリア情報に基づいて、AMFノードは、許可されたNSSAI内の各S−NSSAIに対応するスライスインスタンスの属性情報を決定し、その場合、属性情報は、S−NSSAIに対応するスライスインスタンスのサービスエリアが端末デバイスの登録エリアを含むかどうかを示すために使用される。
【０１８４】
ネットワーク要素発見要求によって搬送されるスライスインスタンスまたはS−NSSAIに対応するスライスインスタンスの属性情報は、S−NSSAIに対応するスライスインスタンスまたは上記スライスインスタンスのサービスエリアが端末デバイスの登録エリアを含むことを示す。
【０１８５】
ネットワーク要素発見要求に含まれる内容は、NSSFノードによって送信された応答メッセージの内容に基づいてさらに決定されてもよい。応答メッセージが表1に示されている内容を搬送する場合、ネットワーク要素発見要求によって搬送され得る内容は、表3に示されているものである。スライスインスタンス識別子3を有するスライスインスタンスのサービスエリアが端末デバイスの登録エリアを含まないと仮定すると、ネットワーク要素発見要求は、スライスインスタンス識別子1および2を有するスライスインスタンスの情報のみを搬送する。応答メッセージが表2に示されている内容を搬送する場合、ネットワーク要素発見要求によって搬送され得る内容は、表4に示されているものである。スライスS−NSSAI 3に対応するスライスインスタンスのサービスエリアが端末デバイスの登録エリアを含まないと仮定すると、ネットワーク要素発見要求は、スライスS−NSSAI 1および2の情報のみを搬送する。
【０１８６】
ステップ408：NRFデバイスは、ネットワーク要素発見要求応答メッセージをAMFノードに送信する。
【０１８７】
ネットワーク要素発見要求応答メッセージは、ターゲットAMFノードのアドレス情報を含む。NRFデバイスは、ネットワーク要素発見要求メッセージによって搬送された内容に基づいて、端末デバイスにサービスを提供するターゲットAMFノードを決定する。言い換えれば、端末デバイスは、ターゲットAMFノードに再配置され得る。
【０１８８】
ステップ409．AMFノードは、非アクセス層メッセージと、ステップ406でAMFノードによって取得された許可されたNSSAIおよび許可されたNSSAIに対応するサービスエリア情報とをターゲットAMFノードに送信する。
【０１８９】
非アクセス層メッセージは、ステップ401の登録要求メッセージである。
【０１９０】
任意選択で、許可されたNSSAIは、ステップ407の許可されたNSSAI内の各S−NSSAIに対応するスライスインスタンスの属性情報を含む。代替的には、AMFノードは、属性情報をターゲットAMFノードに送信する。
【０１９１】
任意選択で、AMFノードは、RANノードを使用して、非アクセス層メッセージと、ステップ406でAMFノードによって取得された許可されたNSSAIおよび許可されたNSSAIに対応するサービスエリア情報とをターゲットAMFノードに送信してもよい。例えば、AMFノードは、登録要求メッセージならびにターゲットAMFノードのアドレス情報または識別情報を再配置するようにRANノードに命令する。RANノードは、非アクセス層メッセージと、ステップ406でAMFノードによって取得された許可されたNSSAIおよび許可されたNSSAIに対応するサービスエリア情報と、登録要求メッセージとをターゲットAMFノードに転送する。
【０１９２】
任意選択で、RANノードを使用してAMFノードによってターゲットAMFノードに送信される情報は、ステップ407の属性情報をさらに含んでもよい。
【０１９３】
ステップ410：ターゲットAMFノードは、端末デバイスのセッションセットアップ要求を受信したときにセッションセットアップ要求に対してスライスインスタンスを決定するために、AMFノードによって送信された許可されたNSSAIおよび許可されたNSSAIに対応するサービスエリア情報を記憶する。
【０１９４】
任意選択で、ターゲットAMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定し、その場合、属性情報は、S−NSSAIに対応するスライスインスタンスのサービスエリアが端末デバイスの登録エリアを含むかどうかを示し、属性情報に基づいて、許可されたNSSAI内の各S−NSSAIが登録エリアでサポートまたは許可されているかどうかを端末デバイスに示すために使用される。例えば、これは、表5に示されているものであってもよい。
【０１９５】
例えば、この指示は、RANノードを使用してAMFによって端末デバイスに送信される登録応答メッセージによって搬送されてもよい。図3に示されている実施形態と比較して、図4に示されている実施形態では、インタフェースが、NSSFノードとUDMデバイスとの間に設けられ、NSSFノードは、端末デバイスのサブスクリプション情報を直接取得し得、AMFノードによってNSSFノードに送信される第1の要求メッセージは、端末デバイスのSUPIを搬送し得る。
【０１９６】
図5に示されているように、端末デバイスが非ローミングシナリオにあるとき、スライスベース通信手順は、以下の特定のステップを含む。
【０１９７】
ステップ501：AMFノードは、サブスクリプション情報照会要求メッセージをUDMデバイスに送信する。
【０１９８】
端末デバイスによって送信され、RANによって転送された登録要求メッセージを受信した後、AMFノードは、UDMデバイスから端末デバイスのサブスクリプション情報を照会し得る。サブスクリプション情報照会要求メッセージは、端末デバイスのSUPIを搬送する。端末デバイスのサブスクリプション情報は、端末デバイスのSUPIを使用して照会される。任意選択で、登録要求メッセージは、構成されたNSSAIをさらに含んでもよい。
【０１９９】
ステップ502．UDMデバイスは、サブスクリプション情報応答メッセージをAMFノードに返す。
【０２００】
UDMデバイスは、AMFノードによって送信された端末デバイスのSUPIに基づいて端末デバイスのサブスクリプション情報を取得し、サブスクリプション情報応答メッセージをAMFノードに返す。サブスクリプション情報応答メッセージは、端末デバイスのサブスクリプション情報を搬送する。サブスクリプション情報は、端末デバイスのサブスクライブされたNSSAIを含み、任意選択で、端末デバイスのタイプ情報をさらに含んでもよい。
【０２０１】
ステップ503：AMFノードは、第1の要求メッセージをNSSFノードに送信する。
【０２０２】
第1の要求メッセージは、第1のNSSAIを搬送する。第1のNSSAIは、端末デバイスのサブスクリプション情報および／または端末デバイスの登録要求メッセージによって搬送される構成されたNSSAIに基づいてAMFノードによって取得され得る。第1のNSSAIは、サブスクリプション情報および／または構成されたNSSAIに関連付けられる。
【０２０３】
ステップ504：NSSFノードは、応答メッセージをAMFノードに送信する。
【０２０４】
応答メッセージは、第1のNSSAIに対応するサービスエリア情報を搬送する。AMFノードによって送信された第1の要求メッセージを受信した後、NSSFノードは、NSSAIと、OAMシステムから取得されるサービスエリアとの対応関係および第1のNSSAIに基づいて、第1のNSSAIに対応するサービスエリア情報を取得し得る。任意選択で、応答メッセージは、例えば表1または表2に示されているように、第1のNSSAI内の各S−NSSAIに対応するスライスインスタンス識別情報をさらに含んでもよい。
【０２０５】
ステップ505：AMFノードは、許可されたNSSAIおよび許可されたNSSAIに対応するサービスエリア情報を取得する。
【０２０６】
第1のNSSAIに対応し、NSSAIノード、第1のNSSAI、およびサブスクライブされたNSSAIによって送信された応答メッセージによって搬送されたサービスエリア情報に基づいて、AMFノードは、端末デバイスの許可されたNSSAIおよび許可されたNSSAIに対応するサービスエリア情報を取得する。許可されたNSSAIは、第1のNSSAIに関連付けられるか、または許可されたNSSAIは、サブスクライブされたNSSAIに関連付けられる。
【０２０７】
ステップ506：AMFノードは、ネットワーク要素発見要求をNRFデバイスに送信する。
【０２０８】
取得された端末デバイスの許可されたNSSAIおよび許可されたNSSAIに対応するサービスエリア情報ならびに端末デバイスの登録エリア情報に基づいて、AMFノードは、許可されたNSSAI内の各S−NSSAIに対応するスライスインスタンスの属性情報を決定し、その場合、属性情報は、S−NSSAIに対応するスライスインスタンスのサービスエリアが端末デバイスの登録エリアを含むかどうかを示すために使用される。
【０２０９】
ネットワーク要素発見要求によって搬送されるスライスインスタンスまたはS−NSSAIに対応するスライスインスタンスの属性情報は、S−NSSAIに対応するスライスインスタンスまたは上記スライスインスタンスのサービスエリアが端末デバイスの登録エリアを含むことを示す。
【０２１０】
ネットワーク要素発見要求に含まれる内容は、NSSFノードによって送信された応答メッセージの内容に基づいてさらに決定されてもよい。応答メッセージが表1に示されている内容を搬送する場合、ネットワーク要素発見要求によって搬送され得る内容は、表3に示されているものである。スライスインスタンス識別子3を有するスライスインスタンスのサービスエリアが端末デバイスの登録エリアを含まないと仮定すると、ネットワーク要素発見要求は、スライスインスタンス識別子1および2を有するスライスインスタンスの情報のみを搬送する。応答メッセージが表2に示されている内容を搬送する場合、ネットワーク要素発見要求によって搬送され得る内容は、表4に示されているものである。スライスS−NSSAI 3に対応するスライスインスタンスのサービスエリアが端末デバイスの登録エリアを含まないと仮定すると、ネットワーク要素発見要求は、スライスS−NSSAI 1および2の情報のみを搬送する。
【０２１１】
ステップ507：NRFデバイスは、ネットワーク要素発見要求応答メッセージをAMFノードに送信する。
【０２１２】
ネットワーク要素発見要求応答メッセージは、ターゲットAMFノードのアドレス情報を含む。NRFデバイスは、ネットワーク要素発見要求メッセージによって搬送された内容に基づいて、端末デバイスにサービスを提供するターゲットAMFノードを決定する。言い換えれば、端末デバイスは、ターゲットAMFノードに再配置され得る。
【０２１３】
ステップ508．AMFノードは、非アクセス層メッセージと、ステップ505でAMFノードによって取得された許可されたNSSAIおよび許可されたNSSAIに対応するサービスエリア情報とをターゲットAMFノードに送信する。
【０２１４】
非アクセス層メッセージは、ステップ501の登録要求メッセージである。
【０２１５】
任意選択で、許可されたNSSAIは、ステップ506の許可されたNSSAI内の各S−NSSAIに対応するスライスインスタンスの属性情報を含む。代替的には、AMFノードは、属性情報をターゲットAMFノードに送信する。
【０２１６】
任意選択で、AMFノードは、RANノードを使用して、非アクセス層メッセージと、ステップ505でAMFノードによって取得された許可されたNSSAIおよび許可されたNSSAIに対応するサービスエリア情報とをターゲットAMFノードに送信してもよい。例えば、AMFノードは、登録要求メッセージならびにターゲットAMFノードのアドレス情報または識別情報を再配置するようにRANノードに命令する。RANノードは、非アクセス層メッセージと、ステップ505でAMFノードによって取得された許可されたNSSAIおよび許可されたNSSAIに対応するサービスエリア情報と、登録要求メッセージとをターゲットAMFノードに転送する。
【０２１７】
任意選択で、RANノードを使用してAMFノードによってターゲットAMFノードに送信される情報は、ステップ506の属性情報をさらに含んでもよい。
【０２１８】
ステップ509：ターゲットAMFノードは、端末デバイスのセッションセットアップ要求を受信したときにセッションセットアップ要求に対してスライスインスタンスを決定するために、AMFノードによって送信された許可されたNSSAIおよび許可されたNSSAIに対応するサービスエリア情報を記憶する。
【０２１９】
図4および図3に示されている実施形態と比較して、図5に示されている実施形態では、NSSFノードは、許可されたNSSAIを直接取得せず、代わりに、AMFノードが、許可されたNSSAIおよび許可されたNSSAIに対応するサービスエリア情報を取得する。
【０２２０】
任意選択で、ターゲットAMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定し、その場合、属性情報は、S−NSSAIに対応するスライスインスタンスのサービスエリアが端末デバイスの登録エリアを含むかどうかを示し、属性情報に基づいて、許可されたNSSAI内の各S−NSSAIが登録エリアでサポートまたは許可されているかどうかを端末デバイスに示すために使用される。例えば、これは、表5に示されているものであってもよい。
【０２２１】
例えば、この指示は、RANノードを使用してAMFによって端末デバイスに送信される登録応答メッセージによって搬送されてもよい。
【０２２２】
図6に示されているように、インタフェースが、NSSFノードとUDMデバイスとの間に設けられ、NSSFノードおよびUDMデバイスは、端末デバイスが非ローミングシナリオにあるときに互いに通信し得る。このシナリオでは、NSSFノードは、端末デバイスのサブスクリプション情報を自律的に照会し得る。このシナリオでは、スライスベース通信手順は、以下の特定のステップを含む。
【０２２３】
ステップ601．AMFノードは、端末デバイスによって送信され、RANによって転送された登録要求メッセージを受信する。
【０２２４】
ステップ602：AMFノードは、第1の要求メッセージをNSSFノードに送信する。
【０２２５】
AMFノードが、AMFノードが端末デバイスにサービスを提供し得ないことを発見した場合、またはAMFが、AMFノードが端末デバイスにサービスを提供し得るかどうかを判定し得ない場合に、AMFは、第1の要求メッセージを送信する。第1の要求メッセージは、端末デバイスのSUPIを搬送する。端末デバイスによって送信される登録要求メッセージが、構成されたNSSAIを搬送する場合、第1の要求メッセージは、構成されたNSSAIをさらに搬送し得る。端末デバイスによって送信される登録要求メッセージが、構成されたNSSAIを搬送しない場合、第1の要求メッセージは、構成されたNSSAIを搬送しない。
【０２２６】
ステップ603：NSSFノードは、サブスクリプション情報照会要求をUDMデバイスに送信する。
【０２２７】
サブスクリプション情報照会要求は、AMFノードによって送信され、NSSFノードによって受信される第1の要求メッセージによって搬送される端末デバイスのSUPIを含む。NSSFノードは、端末デバイスのSUPIに基づいてUDMから端末デバイスのサブスクリプション情報を照会する。
【０２２８】
ステップ604．UDMデバイスは、サブスクリプション情報応答メッセージをNSSFノードに返す。
【０２２９】
UDMデバイスは、NSSFノードによって送信された端末デバイスのSUPIに基づいて端末デバイスのサブスクリプション情報を取得し、サブスクリプション情報応答メッセージをNSSFノードに返す。サブスクリプション情報応答メッセージは、端末デバイスのサブスクリプション情報を搬送する。サブスクリプション情報は、端末デバイスのサブスクライブされたNSSAIを含み、任意選択で、端末デバイスのタイプ情報をさらに含んでもよい。
【０２３０】
ステップ605：NSSFノードは、応答メッセージをAMFノードに送信する。
【０２３１】
応答メッセージは、第1のNSSAIに対応するサービスエリア情報を搬送する。AMFノードによって送信された第1の要求メッセージを受信した後、NSSFノードは、NSSAIと、OAMシステムから取得されるサービスエリアとの対応関係および第1のNSSAIに基づいて、第1のNSSAIに対応するサービスエリア情報を取得し得る。任意選択で、応答メッセージは、例えば表1または表2に示されているように、第1のNSSAI内の各S−NSSAIに対応するスライスインスタンス識別情報をさらに含んでもよい。
【０２３２】
ステップ606：AMFノードは、許可されたNSSAIおよび許可されたNSSAIに対応するサービスエリア情報を取得する。
【０２３３】
第1のNSSAIに対応し、NSSAIノード、第1のNSSAI、およびサブスクライブされたNSSAIによって送信された応答メッセージによって搬送されたサービスエリア情報に基づいて、AMFノードは、端末デバイスの許可されたNSSAIおよび許可されたNSSAIに対応するサービスエリア情報を取得する。許可されたNSSAIは、第1のNSSAIに関連付けられるか、または許可されたNSSAIは、サブスクライブされたNSSAIに関連付けられる。
【０２３４】
ステップ607：AMFノードは、ネットワーク要素発見要求をNRFデバイスに送信する。
【０２３５】
取得された端末デバイスの許可されたNSSAIおよび許可されたNSSAIに対応するサービスエリア情報ならびに端末デバイスの登録エリア情報に基づいて、AMFノードは、許可されたNSSAI内の各S−NSSAIに対応するスライスインスタンスの属性情報を決定し、その場合、属性情報は、S−NSSAIに対応するスライスインスタンスのサービスエリアが端末デバイスの登録エリアを含むかどうかを示すために使用される。
【０２３６】
ネットワーク要素発見要求によって搬送されるスライスインスタンスまたはS−NSSAIに対応するスライスインスタンスの属性情報は、S−NSSAIに対応するスライスインスタンスまたは上記スライスインスタンスのサービスエリアが端末デバイスの登録エリアを含むことを示す。
【０２３７】
ネットワーク要素発見要求に含まれる内容は、NSSFノードによって送信された応答メッセージの内容に基づいてさらに決定されてもよい。応答メッセージが表1に示されている内容を搬送する場合、ネットワーク要素発見要求によって搬送され得る内容は、表3に示されているものである。スライスインスタンス識別子3を有するスライスインスタンスのサービスエリアが端末デバイスの登録エリアを含まないと仮定すると、ネットワーク要素発見要求は、スライスインスタンス識別子1および2を有するスライスインスタンスの情報のみを搬送する。応答メッセージが表2に示されている内容を搬送する場合、ネットワーク要素発見要求によって搬送され得る内容は、表4に示されているものである。スライスS−NSSAI 3に対応するスライスインスタンスのサービスエリアが端末デバイスの登録エリアを含まないと仮定すると、ネットワーク要素発見要求は、スライスS−NSSAI 1および2の情報のみを搬送する。
【０２３８】
ステップ608：NRFデバイスは、ネットワーク要素発見要求応答メッセージをAMFノードに送信する。
【０２３９】
ネットワーク要素発見要求応答メッセージは、ターゲットAMFノードのアドレス情報を含む。NRFデバイスは、ネットワーク要素発見要求メッセージによって搬送された内容に基づいて、端末デバイスにサービスを提供するターゲットAMFノードを決定する。言い換えれば、端末デバイスは、ターゲットAMFノードに再配置され得る。
【０２４０】
ステップ609．AMFノードは、非アクセス層メッセージと、ステップ606でAMFノードによって取得された許可されたNSSAIおよび許可されたNSSAIに対応するサービスエリア情報とをターゲットAMFノードに送信する。
【０２４１】
非アクセス層メッセージは、ステップ601の登録要求メッセージである。
【０２４２】
任意選択で、許可されたNSSAIは、ステップ607の許可されたNSSAI内の各S−NSSAIに対応するスライスインスタンスの属性情報を含む。代替的には、AMFノードは、属性情報をターゲットAMFノードに送信する。
【０２４３】
任意選択で、AMFノードは、RANノードを使用して、非アクセス層メッセージと、ステップ606でAMFノードによって取得された許可されたNSSAIおよび許可されたNSSAIに対応するサービスエリア情報とをターゲットAMFノードに送信してもよい。例えば、AMFノードは、登録要求メッセージならびにターゲットAMFノードのアドレス情報または識別情報を再配置するようにRANノードに命令する。RANノードは、非アクセス層メッセージと、ステップ606でAMFノードによって取得された許可されたNSSAIおよび許可されたNSSAIに対応するサービスエリア情報と、登録要求メッセージとをターゲットAMFノードに転送する。
【０２４４】
任意選択で、RANノードを使用してAMFノードによってターゲットAMFノードに送信される情報は、ステップ607の属性情報をさらに含んでもよい。
【０２４５】
ステップ610：ターゲットAMFノードは、端末デバイスのセッションセットアップ要求を受信したときにセッションセットアップ要求に対してスライスインスタンスを決定するために、AMFノードによって送信された許可されたNSSAIおよび許可されたNSSAIに対応するサービスエリア情報を記憶する。
【０２４６】
任意選択で、ターゲットAMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定し、その場合、属性情報は、S−NSSAIに対応するスライスインスタンスのサービスエリアが端末デバイスの登録エリアを含むかどうかを示し、属性情報に基づいて、許可されたNSSAI内の各S−NSSAIが登録エリアでサポートまたは許可されているかどうかを端末デバイスに示すために使用される。例えば、これは、表5に示されているものであってもよい。
【０２４７】
例えば、この指示は、RANノードを使用してAMFによって端末デバイスに送信される登録応答メッセージによって搬送されてもよい。
【０２４８】
図5に示されている実施形態と比較して、図6に示されている実施形態では、インタフェースが、NSSFノードとUDMデバイスとの間に設けられ、NSSFノードは、端末デバイスのサブスクリプション情報を直接取得し得、AMFノードによってNSSFノードに送信される第1の要求メッセージは、端末デバイスのSUPIを搬送し得る。
【０２４９】
図7に示されているように、端末デバイスがローミングシナリオにあるとき、スライスベース通信手順は、以下の特定のステップを含む。
【０２５０】
ステップ701：AMFノードは、サブスクリプション情報照会要求メッセージをHPLMNのUDMデバイスに送信する。
【０２５１】
端末デバイスによって送信され、RANによって転送された登録要求メッセージを受信した後、AMFノードは、UDMデバイスから端末デバイスのサブスクリプション情報を照会し得る。サブスクリプション情報照会要求メッセージは、端末デバイスのSUPIを搬送する。端末デバイスのサブスクリプション情報は、端末デバイスのSUPIを使用して照会される。任意選択で、登録要求メッセージは、HPLMNの構成されたNSSAIおよびVPLMNの構成されたNSSAIをさらに含んでもよい。
【０２５２】
ステップ702．HPLMNのUDMデバイスは、サブスクリプション情報応答メッセージをAMFノードに返す。
【０２５３】
HPLMNのUDMデバイスは、AMFノードによって送信された端末デバイスのSUPIに基づいて端末デバイスのサブスクリプション情報を取得し、サブスクリプション情報応答メッセージをAMFノードに返す。サブスクリプション情報応答メッセージは、端末デバイスのサブスクリプション情報を搬送する。サブスクリプション情報は、端末デバイスのHPLMNのサブスクライブされたNSSAIを含み、任意選択で、端末デバイスのタイプ情報をさらに含んでもよい。
【０２５４】
ステップ703：AMFノードは、第1の要求メッセージをNSSFノードに送信する。
【０２５５】
第1の要求メッセージは、第1のNSSAIを搬送する。第1のNSSAIは、端末デバイスのサブスクリプション情報および／または端末デバイスの登録要求メッセージによって搬送されるHPLMNの構成されたNSSAIまたはVPLMNの構成されたNSSAIに基づいてAMFノードによって取得され得る。第1のNSSAIは、HPLMNのサブスクライブされたNSSAIおよび／またはHPLMNの構成されたNSSAIに関連付けられる。代替的には、第1のNSSAIは、HPLMNのサブスクライブされたNSSAIおよび／またはVPLMNの構成されたNSSAIに関連付けられてもよい。例えば、第1のNSSAIは、HPLMNのサブスクライブされたNSSAIと、端末デバイスの登録要求メッセージによって搬送されるHPLMNの構成されたNSSAIとの共通集合であってもよく、HPLMNのサブスクライブされたNSSAIおよび端末デバイスの登録要求メッセージによって搬送されるHPLMNの構成されたNSSAIであってもよく、またはHPLMNのサブスクライブされたNSSAIおよび端末デバイスの登録要求メッセージによって搬送されるVPLMNの構成されたNSSAIであってもよい。任意選択で、第1の要求メッセージは、端末デバイスのタイプ情報をさらに搬送する。
【０２５６】
ステップ704：NSSFノードは、応答メッセージをAMFノードに送信する。
【０２５７】
応答メッセージは、第2のNSSAIに対応するサービスエリア情報を搬送する。AMFノードによって送信された第1の要求メッセージを受信した後、VPLMNのNSSAIと、OAMシステムから取得されるサービスエリアとの対応関係および第1のNSSAIに基づいて、NSSFノードは、第2のNSSAIを決定し、第2のNSSAIに対応するサービスエリア情報を取得し得る。
【０２５８】
例えば、第1のNSSAIが、HPLMNのNSSAIを含む場合、NSSFノードは、最初にローミングプロトコルに基づいてHPLMNのNSSAIをVPLMNの対応するNSSAIにマッピングし、次に第2のNSSAIを取得してもよい。第2のNSSAIは、第1のNSSAIによって搬送される1つ以上のNSSAIに関連付けられる。
【０２５９】
任意選択で、応答メッセージは、VPLMNのNSSAIに対応するHPLMNのNSSAIをさらに含んでもよい。例えば、これは、表6に示されているものであってもよい。
【０２６０】
【表６】
2020519061.tif 000008
【０２６１】
ステップ705：AMFノードは、VPLMNの許可されたNSSAIおよびVPLMNの許可されたNSSAIに対応するサービスエリア情報を取得する。
【０２６２】
NSSAIノードによって送信された応答メッセージによって搬送された、第2のNSSAIに対応するサービスエリア情報と、第2のNSSAIとに基づいて、AMFノードは、端末デバイスのVPLMNの許可されたNSSAIおよびVPLMNの許可されたNSSAIに対応するサービスエリア情報を取得する。VPLMNの許可されたNSSAIは、第2のNSSAIに関連付けられる。
【０２６３】
ステップ706：AMFノードは、ネットワーク要素発見要求をNRFデバイスに送信する。
【０２６４】
取得された端末デバイスの許可されたNSSAIおよび許可されたNSSAIに対応するサービスエリア情報ならびに端末デバイスの登録エリア情報に基づいて、AMFノードは、許可されたNSSAI内の各S−NSSAIに対応するスライスインスタンスの属性情報を決定し、その場合、属性情報は、S−NSSAIに対応するスライスインスタンスのサービスエリアが端末デバイスの登録エリアを含むかどうかを示すために使用される。
【０２６５】
ネットワーク要素発見要求によって搬送されるスライスインスタンスまたはS−NSSAIに対応するスライスインスタンスの属性情報は、S−NSSAIに対応するスライスインスタンスまたは上記スライスインスタンスのサービスエリアが端末デバイスの登録エリアを含むことを示す。
【０２６６】
ネットワーク要素発見要求に含まれる内容は、NSSFノードによって送信された応答メッセージの内容に基づいてさらに決定されてもよい。応答メッセージが表6に示されている内容を搬送する場合、ネットワーク要素発見要求によって搬送され得る内容は、表7に示されているものである。VPLMNのS−NSSAI 3に対応するスライスインスタンスのサービスエリアが端末デバイスの登録エリアを含まないと仮定すると、ネットワーク要素発見要求は、VPLMN S−NSSAI 1およびVPLMN S−NSSAI 2の情報のみを搬送する。
【０２６７】
【表７】
2020519061.tif 000009
【０２６８】
ステップ707：NRFデバイスは、ネットワーク要素発見要求応答メッセージをAMFノードに送信する。
【０２６９】
ネットワーク要素発見要求応答メッセージは、ターゲットAMFノードのアドレス情報を含む。NRFデバイスは、ネットワーク要素発見要求メッセージによって搬送された内容に基づいて、端末デバイスにサービスを提供するターゲットAMFノードを決定する。言い換えれば、端末デバイスは、ターゲットAMFノードに再配置され得る。
【０２７０】
ステップ708．AMFノードは、非アクセス層メッセージと、ステップ705でAMFノードによって取得された許可されたNSSAIおよび許可されたNSSAIに対応するサービスエリア情報とをターゲットAMFノードに送信する。
【０２７１】
非アクセス層メッセージは、ステップ701の登録要求メッセージである。
【０２７２】
任意選択で、許可されたNSSAIは、ステップ706の許可されたNSSAI内の各S−NSSAIに対応するスライスインスタンスの属性情報を含む。代替的には、AMFノードは、属性情報をターゲットAMFノードに送信する。
【０２７３】
任意選択で、AMFノードは、RANノードを使用して、非アクセス層メッセージと、ステップ705でAMFノードによって取得された許可されたNSSAIおよび許可されたNSSAIに対応するサービスエリア情報とをターゲットAMFノードに送信してもよい。例えば、AMFノードは、登録要求メッセージならびにターゲットAMFノードのアドレス情報または識別情報を再配置するようにRANノードに命令する。RANノードは、非アクセス層メッセージと、ステップ705でAMFノードによって取得された許可されたNSSAIおよび許可されたNSSAIに対応するサービスエリア情報と、登録要求メッセージとをターゲットAMFノードに転送する。
【０２７４】
任意選択で、RANノードを使用してAMFノードによってターゲットAMFノードに送信される情報は、ステップ706の属性情報をさらに含んでもよい。
【０２７５】
ステップ709：ターゲットAMFノードは、端末デバイスのセッションセットアップ要求を受信したときにセッションセットアップ要求に対してスライスインスタンスを決定するために、AMFノードによって送信されたVPLMNの許可されたNSSAIおよびVPLMNの許可されたNSSAIに対応するサービスエリア情報を記憶する。
【０２７６】
任意選択で、ターゲットAMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定し、その場合、属性情報は、S−NSSAIに対応するスライスインスタンスのサービスエリアが端末デバイスの登録エリアを含むかどうかを示し、属性情報に基づいて、許可されたNSSAI内の各S−NSSAIが登録エリアでサポートまたは許可されているかどうかを端末デバイスに示すために使用される。例えば、これは、表5に示されているものであってもよい。
【０２７７】
例えば、この指示は、RANノードを使用してAMFによって端末デバイスに送信される登録応答メッセージによって搬送されてもよい。
【０２７８】
図7に示されている実施形態では、ステップ705において、AMFノードは、端末デバイスのためにVPLMNの許可されたNSSAIを決定する。本発明のこの実施形態でさらに提供される別の実施態様では、NSSFノードは、ステップ704で端末デバイスのためにVPLMNの許可されたNSSAIをさらに決定し、応答メッセージを使用して、決定されたVPLMNの許可されたNSSAIをAMFノードに送信し得る。この手順の特定の実施態様については、図4または図6に示されている実施形態の関係するステップを参照されたい。ここでは詳細は再度説明されない。
【０２７９】
図8に示されているように、端末デバイスがローミングシナリオにあるとき、スライスベース通信手順は、以下の特定のステップを含む。
【０２８０】
ステップ801．AMFノードは、端末デバイスによって送信され、RANによって転送された登録要求メッセージを受信する。
【０２８１】
ステップ802：AMFノードは、第1の要求メッセージをNSSFノードに送信する。
【０２８２】
AMFノードが、AMFノードが端末デバイスにサービスを提供し得ないことを発見した場合、またはAMFが、AMFノードが端末デバイスにサービスを提供し得るかどうかを判定し得ない場合に、AMFは、第1の要求メッセージを送信する。第1の要求メッセージは、端末デバイスのSUPIを搬送する。端末デバイスによって送信される登録要求メッセージが、HPLMNの構成されたNSSAIまたはVPLMNの構成されたNSSAIを搬送する場合、第1の要求メッセージは、構成されたNSSAIをさらに搬送し得る。端末デバイスによって送信される登録要求メッセージが、構成されたNSSAIを搬送しない場合、第1の要求メッセージは、構成されたNSSAIを搬送しない。
【０２８３】
ステップ803：NSSFノードは、サブスクリプション情報照会要求をHPLMNのUDMデバイスに送信する。
【０２８４】
サブスクリプション情報照会要求は、AMFノードによって送信され、NSSFノードによって受信される第1の要求メッセージによって搬送される端末デバイスのSUPIを含む。NSSFノードは、端末デバイスのSUPIに基づいてHPLMNのUDMから端末デバイスのサブスクリプション情報を照会する。
【０２８５】
ステップ804．HPLMNのUDMデバイスは、サブスクリプション情報応答メッセージをNSSFノードに返す。
【０２８６】
UDMデバイスは、NSSFノードによって送信された端末デバイスのSUPIに基づいて端末デバイスのサブスクリプション情報を取得し、サブスクリプション情報応答メッセージをNSSFノードに返す。サブスクリプション情報応答メッセージは、端末デバイスのサブスクリプション情報を搬送する。サブスクリプション情報は、HPLMNのサブスクライブされたNSSAIを含み、任意選択で、端末デバイスのタイプ情報をさらに含んでもよい。
【０２８７】
ステップ805：NSSFノードは、VPLMNの許可されたNSSAIおよびVPLMNの許可されたNSSAIに対応するサービスエリア情報を取得する。
【０２８８】
NSSFノードは、VPLMNのNSSAIと、NSSFノードによってOAMシステムから取得されるサービスエリアとの対応関係、HPLMNのUDMから取得される端末デバイスのサブスクリプション情報によって搬送されるHPLMNのサブスクライブされたNSSAI、およびAMFノードによって送信される第1の要求メッセージによって搬送されるHPLMNの構成されたNSSAIまたはVPLMNの構成されたNSSAIなどの情報に基づいて、端末デバイスのVPLMNの許可されたNSSAIおよびVPLMNの許可されたNSSAIに対応するサービスエリア情報を取得し得る。VPLMNの許可されたNSSAIは、HPLMNのサブスクライブされたNSSAIおよび／またはHPLMNの構成されたNSSAIに関連付けられる。代替的には、VPLMNの許可されたNSSAIは、HPLMNのサブスクライブされたNSSAIおよび／またはVPLMNの構成されたNSSAIに関連付けられてもよい。例えば、VPLMNの許可されたNSSAIを取得する前に、NSSFノードは、ローミングプロトコルに基づいて、HPLMNのサブスクライブされたNSSAIをVPLMNの対応するNSSAIにマッピングしてもよい。第1の要求メッセージがHPLMNの構成されたNSSAIを搬送する場合、NSSFノードは、HPLMNの構成されたNSSAIをVPLMNのNSSAIにさらにマッピングしてもよい。
【０２８９】
ステップ806：NSSFノードは、応答メッセージをAMFノードに送信する。
【０２９０】
応答メッセージは、VPLMNの許可されたNSSAIおよびVPLMNの許可されたNSSAIに対応するサービスエリア情報を搬送する。任意選択で、応答メッセージは、VPLMNのNSSAIに対応するHPLMNのNSSAIをさらに含んでもよい。例えば、これは、表6に示されているものであってもよい。
【０２９１】
ステップ807：AMFノードは、ネットワーク要素発見要求をNRFデバイスに送信する。
【０２９２】
取得された端末デバイスの許可されたNSSAIおよび許可されたNSSAIに対応するサービスエリア情報ならびに端末デバイスの登録エリア情報に基づいて、AMFノードは、許可されたNSSAI内の各S−NSSAIに対応するスライスインスタンスの属性情報を決定し、その場合、属性情報は、S−NSSAIに対応するスライスインスタンスのサービスエリアが端末デバイスの登録エリアを含むかどうかを示すために使用される。
【０２９３】
ネットワーク要素発見要求によって搬送されるスライスインスタンスまたはS−NSSAIに対応するスライスインスタンスの属性情報は、S−NSSAIに対応するスライスインスタンスまたは上記スライスインスタンスのサービスエリアが端末デバイスの登録エリアを含むことを示す。
【０２９４】
ネットワーク要素発見要求に含まれる内容は、NSSFノードによって送信された応答メッセージの内容に基づいてさらに決定されてもよい。応答メッセージが表6に示されている内容を搬送する場合、ネットワーク要素発見要求によって搬送され得る内容は、表7に示されているものである。VPLMNのS−NSSAI 3に対応するスライスインスタンスのサービスエリアが端末デバイスの登録エリアを含まないと仮定すると、ネットワーク要素発見要求は、VPLMN S−NSSAI 1およびVPLMN S−NSSAI 2の情報のみを搬送する。
【０２９５】
ステップ808：NRFデバイスは、ネットワーク要素発見要求応答メッセージをAMFノードに送信する。
【０２９６】
ネットワーク要素発見要求応答メッセージは、ターゲットAMFノードのアドレス情報を含む。NRFデバイスは、ネットワーク要素発見要求メッセージによって搬送された内容に基づいて、端末デバイスにサービスを提供するターゲットAMFノードを決定する。言い換えれば、端末デバイスは、ターゲットAMFノードに再配置され得る。
【０２９７】
ステップ809．AMFノードは、非アクセス層メッセージと、ステップ806でAMFノードによって取得された許可されたNSSAIおよび許可されたNSSAIに対応するサービスエリア情報とをターゲットAMFノードに送信する。
【０２９８】
非アクセス層メッセージは、ステップ801の登録要求メッセージである。
【０２９９】
任意選択で、許可されたNSSAIは、ステップ807の許可されたNSSAI内の各S−NSSAIに対応するスライスインスタンスの属性情報を含む。代替的には、AMFノードは、属性情報をターゲットAMFノードに送信する。
【０３００】
任意選択で、AMFノードは、RANノードを使用して、非アクセス層メッセージと、ステップ806でAMFノードによって取得された許可されたNSSAIおよび許可されたNSSAIに対応するサービスエリア情報とをターゲットAMFノードに送信してもよい。例えば、AMFノードは、登録要求メッセージならびにターゲットAMFノードのアドレス情報または識別情報を再配置するようにRANノードに命令する。RANノードは、非アクセス層メッセージと、ステップ806でAMFノードによって取得された許可されたNSSAIおよび許可されたNSSAIに対応するサービスエリア情報と、登録要求メッセージとをターゲットAMFノードに転送する。
【０３０１】
任意選択で、RANノードを使用してAMFノードによってターゲットAMFノードに送信される情報は、ステップ807の属性情報をさらに含んでもよい。
【０３０２】
ステップ810：ターゲットAMFノードは、端末デバイスのセッションセットアップ要求を受信したときにセッションセットアップ要求に対してスライスインスタンスを決定するために、AMFノードによって送信されたVPLMNの許可されたNSSAIおよびVPLMNの許可されたNSSAIに対応するサービスエリア情報を記憶する。
【０３０３】
任意選択で、ターゲットAMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定し、その場合、属性情報は、S−NSSAIに対応するスライスインスタンスのサービスエリアが端末デバイスの登録エリアを含むかどうかを示し、属性情報に基づいて、許可されたNSSAI内の各S−NSSAIが登録エリアでサポートまたは許可されているかどうかを端末デバイスに示すために使用される。例えば、これは、表5に示されているものであってもよい。
【０３０４】
例えば、この指示は、RANノードを使用してAMFによって端末デバイスに送信される登録応答メッセージによって搬送されてもよい。
【０３０５】
図8に示されている実施形態では、NSSFノードは、端末デバイスのためにVPLMNの許可されたNSSAIを決定する。別の実施形態では、AMFノードは、ステップ807の後、かつステップ808の前に、VPLMNの許可されたNSSAIをさらに決定してもよい。特定の実施ステップについては、図3または図5に示されている実施形態で説明されているステップを参照されたい。ここでは詳細は再度説明されない。
【０３０６】
図9に示されているように、端末デバイスがローミングシナリオにあるとき、スライスベース通信手順は、以下の特定のステップを含む。
【０３０７】
ステップ901：AMFノードは、サブスクリプション情報照会要求メッセージをHPLMNのUDMデバイスに送信する。
【０３０８】
端末デバイスによって送信され、RANによって転送された登録要求メッセージを受信した後、AMFノードは、UDMデバイスから端末デバイスのサブスクリプション情報を照会し得る。サブスクリプション情報照会要求メッセージは、端末デバイスのSUPIを搬送する。端末デバイスのサブスクリプション情報は、端末デバイスのSUPIを使用して照会される。任意選択で、登録要求メッセージは、HPLMNの構成されたNSSAIおよびVPLMNの構成されたNSSAIをさらに含んでもよい。
【０３０９】
ステップ902．HPLMNのUDMデバイスは、サブスクリプション情報応答メッセージをAMFノードに返す。
【０３１０】
HPLMNのUDMデバイスは、AMFノードによって送信された端末デバイスのSUPIに基づいて端末デバイスのサブスクリプション情報を取得し、サブスクリプション情報応答メッセージをAMFノードに返す。サブスクリプション情報応答メッセージは、端末デバイスのサブスクリプション情報を搬送する。サブスクリプション情報は、端末デバイスのHPLMNのサブスクライブされたNSSAIを含み、任意選択で、端末デバイスのタイプ情報をさらに含んでもよい。
【０３１１】
ステップ903：AMFノードは、第1の要求メッセージをVPLMNのNSSFノードに送信する。
【０３１２】
第1の要求メッセージは、第1のNSSAIを搬送する。第1のNSSAIは、端末デバイスのサブスクリプション情報および／または端末デバイスの登録要求メッセージによって搬送されるHPLMNの構成されたNSSAIまたはVPLMNの構成されたNSSAIに基づいてAMFノードによって取得され得る。第1のNSSAIは、HPLMNのサブスクライブされたNSSAIおよび／またはHPLMNの構成されたNSSAIに関連付けられる。代替的には、第1のNSSAIは、HPLMNのサブスクライブされたNSSAIおよび／またはVPLMNの構成されたNSSAIに関連付けられてもよい。
【０３１３】
ステップ904．VPLMNのNSSFノードは、第2のNSSAIを取得する。
【０３１４】
AMFノードによって送信された第1の要求メッセージを受信した後、VPLMNのNSSFノードは、VPLMNのNSSAIと、OAMシステムから取得されるサービスエリアとの対応関係および第1のNSSAIに基づいて第2のNSSAIを取得し得る。例えば、VPLMNのNSSFノードは、第2のNSSAIを取得するために、VPLMNのNSSAIとサービスエリアとの対応関係に基づいて、端末デバイスのHPLMNのサブスクライブされたNSSAIによって示されるS−NSSAIに対応するVPLMN S−NSSAIが端末デバイスによってサポートされているかどうかを判定し得る。
【０３１５】
ステップ905：VPLMNのNSSFノードは、照会要求メッセージをHPLMNのNSSFノードに送信する。
【０３１６】
照会要求メッセージは、第2のNSSAIを搬送する。任意選択で、照会要求メッセージは、端末デバイスのタイプ情報をさらに含んでもよい。
【０３１７】
ステップ906：HPLMNのNSSFノードは、照会要求応答メッセージをVPLMNのNSSFノードに返す。
【０３１８】
照会要求応答メッセージは、第2のNSSAIに対応する情報を含む。例えば、第2のNSSAIに対応する情報は、表7に示されているように、第2のNSSAI内の各S−NSSAIに対応するHPLMNのスライスインスタンス識別情報を含んでもよく、VPLMNの対応するS−NSSAIをさらに含む。
【０３１９】
【表８】
2020519061.tif 000010
【０３２０】
ステップ907：VPLMNのNSSFノードは、VPLMNの許可されたNSSAIおよびVPLMNの許可されたNSSAIに対応するサービスエリア情報を取得する。
【０３２１】
VPLMNのNSSFノードは、第2のNSSAIと、HPLMNのNSSFノードから返された第2のNSSAIに対応する情報とに基づいて、端末デバイスのVPLMNの許可されたNSSAIおよびVPLMNの許可されたNSSAIに対応するサービスエリア情報を取得する。
【０３２２】
ステップ908：VPLMNのNSSFノードは、応答メッセージをAMFノードに送信する。
【０３２３】
応答メッセージは、VPLMNの許可されたNSSAIおよびVPLMNの許可されたNSSAIに対応するサービスエリア情報を搬送する。応答メッセージは、VPLMNのNSSAIに対応するHPLMNのNSSAIと、HPLMNのNSSAI内の各S−NSSAIに対応するスライスインスタンス識別情報とをさらに含んでもよい。例えば、これは、表8に示されているものであってもよい。
【０３２４】
【表９】
2020519061.tif 000011
【０３２５】
ステップ909：AMFノードは、ネットワーク要素発見要求をNRFデバイスに送信する。
【０３２６】
取得された端末デバイスの許可されたNSSAIおよび許可されたNSSAIに対応するサービスエリア情報ならびに端末デバイスの登録エリア情報に基づいて、AMFノードは、許可されたNSSAI内の各S−NSSAIに対応するスライスインスタンスの属性情報を決定し、その場合、属性情報は、S−NSSAIに対応するスライスインスタンスのサービスエリアが端末デバイスの登録エリアを含むかどうかを示すために使用される。
【０３２７】
ネットワーク要素発見要求によって搬送されるスライスインスタンスまたはS−NSSAIに対応するスライスインスタンスの属性情報は、S−NSSAIに対応するスライスインスタンスまたは上記スライスインスタンスのサービスエリアが端末デバイスの登録エリアを含むことを示す。
【０３２８】
ネットワーク要素発見要求に含まれる内容は、NSSFノードによって送信された応答メッセージの内容に基づいてさらに決定されてもよい。応答メッセージが表8に示されている内容を搬送する場合、ネットワーク要素発見要求によって搬送され得る内容は、表9に示されているものである。スライスインスタンス識別子3を有するVPLMNスライスインスタンスのサービスエリアが端末デバイスの登録エリアを含まないと仮定すると、ネットワーク要素発見要求は、スライスインスタンス識別子1および2を有するVPLMNスライスインスタンスの情報のみを搬送する。
【０３２９】
【表１０】
2020519061.tif 000012
【０３３０】
ステップ910：NRFデバイスは、ネットワーク要素発見要求応答メッセージをAMFノードに送信する。
【０３３１】
ネットワーク要素発見要求応答メッセージは、ターゲットAMFノードのアドレス情報を含む。NRFデバイスは、ネットワーク要素発見要求メッセージによって搬送された内容に基づいて、端末デバイスにサービスを提供するターゲットAMFノードを決定する。言い換えれば、端末デバイスは、ターゲットAMFノードに再配置され得る。
【０３３２】
ステップ911．AMFノードは、非アクセス層メッセージと、ステップ908でAMFノードによって取得された許可されたNSSAIおよび許可されたNSSAIに対応するサービスエリア情報とをターゲットAMFノードに送信する。
【０３３３】
非アクセス層メッセージは、ステップ901の登録要求メッセージである。
【０３３４】
任意選択で、許可されたNSSAIは、ステップ909の許可されたNSSAI内の各S−NSSAIに対応するスライスインスタンスの属性情報を含む。代替的には、AMFノードは、属性情報をターゲットAMFノードに送信する。
【０３３５】
任意選択で、AMFノードは、RANノードを使用して、非アクセス層メッセージと、ステップ908でAMFノードによって取得された許可されたNSSAIおよび許可されたNSSAIに対応するサービスエリア情報とをターゲットAMFノードに送信してもよい。例えば、AMFノードは、登録要求メッセージならびにターゲットAMFノードのアドレス情報または識別情報を再配置するようにRANノードに命令する。RANノードは、非アクセス層メッセージと、ステップ908でAMFノードによって取得された許可されたNSSAIおよび許可されたNSSAIに対応するサービスエリア情報と、登録要求メッセージとをターゲットAMFノードに転送する。
【０３３６】
任意選択で、RANノードを使用してAMFノードによってターゲットAMFノードに送信される情報は、ステップ909の属性情報をさらに含んでもよい。
【０３３７】
ステップ912：ターゲットAMFノードは、端末デバイスのセッションセットアップ要求を受信したときにセッションセットアップ要求に対してスライスインスタンスを決定するために、AMFノードによって送信されたVPLMNの許可されたNSSAIおよびVPLMNの許可されたNSSAIに対応するサービスエリア情報を記憶する。
【０３３８】
任意選択で、ターゲットAMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定し、その場合、属性情報は、S−NSSAIに対応するスライスインスタンスのサービスエリアが端末デバイスの登録エリアを含むかどうかを示し、属性情報に基づいて、許可されたNSSAI内の各S−NSSAIが登録エリアでサポートまたは許可されているかどうかを端末デバイスに示すために使用される。例えば、これは、表5に示されているものであってもよい。
【０３３９】
例えば、この指示は、RANノードを使用してAMFによって端末デバイスに送信される登録応答メッセージによって搬送されてもよい。
【０３４０】
図9に示されている実施形態では、NSSFノードは、端末デバイスのためにVPLMNの許可されたNSSAIを決定する。別の実施形態では、AMFノードは、ステップ908の後、かつステップ909の前に、VPLMNの許可されたNSSAIをさらに決定してもよい。特定の実施ステップについては、図3または図5に示されている実施形態で説明されているステップを参照されたい。ここでは詳細は再度説明されない。
【０３４１】
本発明のこの実施形態は、このシナリオの別の可能な実施態様をさらに提供する。インタフェースが、NSSFノードとHPLMNのUDMデバイスとの間に設けられ得、NSSFノードは、AMFノードの代わりにHPLMNのUDMからローミング端末デバイスのサブスクリプション情報を直接取得し得る。特定の実施ステップについては、図3および図4に示されている実施形態の関係するステップの説明を参照されたい。ここでは詳細は再度説明されない。
【０３４２】
図3から図9に示されている実施形態では、NSSFノードは、NSSAIとサービスエリアとの予め構成された対応関係をAMFノードにさらに送信し得る。この場合、NSSFノードによってAMFノードに送信される応答メッセージは、図10の手順に示されているように、NSSAIによってサポートされているサービスエリア情報を含む必要はない。
【０３４３】
ステップ1001．NSSFノードは、NSSAIとサービスエリアとの対応関係をAMFノードに送信する。
【０３４４】
NSSFは、AMFノードのためにNSSAI内の各S−NSSAIに対応するスライスインスタンスのサービスエリア情報を事前に構成し、AMFノードは、各端末デバイスが登録要求を送信した後にNSSFノードからNSSAIとサービスエリアとの対応関係を再度取得する必要はない。
【０３４５】
例えば、AMFは、NSSFノードおよびAMFノードがデバイス接続を確立したときにNSSAIとサービスエリアとの対応関係を通知されてもよい。NSSAIとサービスエリアとの対応関係は、PLMNでサポートされているすべてのS−NSSAIに対応するスライスインスタンスのサービスエリア情報を示し得、またはAMFもしくはAMFのAMFグループによってサポートされているS−NSSAIに対応するスライスインスタンスのサービスエリア情報を示し得る。
【０３４６】
例えば、NSSAIは、NSSFのPLMNによってサポートされているS−NSSAIの集合であってもよく、またはネットワーク展開もしくはネットワークポリシーに基づいて決定される、AMFノードに提供され得るS−NSSAIの集合であってもよい。
【０３４７】
図11に示されているように、端末デバイスが非ローミングシナリオにあるとき、スライスベース通信手順は、以下の特定のステップを含む。
【０３４８】
ステップ1101：AMFノードは、サブスクリプション情報照会要求メッセージをUDMデバイスに送信する。
【０３４９】
端末デバイスによって送信され、RANによって転送された登録要求メッセージを受信した後、AMFノードは、UDMデバイスから端末デバイスのサブスクリプション情報を照会する必要がある。サブスクリプション情報照会要求メッセージは、端末デバイスのSUPIを搬送する。端末デバイスのサブスクリプション情報は、端末デバイスのSUPIを使用して照会される。任意選択で、登録要求メッセージは、構成されたNSSAIをさらに含んでもよい。
【０３５０】
ステップ1102．UDMデバイスは、サブスクリプション情報応答メッセージをAMFノードに返す。
【０３５１】
UDMデバイスは、AMFノードによって送信された端末デバイスのSUPIに基づいて端末デバイスのサブスクリプション情報を取得し、サブスクリプション情報応答メッセージをAMFノードに返す。サブスクリプション情報応答メッセージは、端末デバイスのサブスクリプション情報を搬送する。サブスクリプション情報は、端末デバイスのサブスクライブされたNSSAIを含み、任意選択で、端末デバイスのタイプ情報をさらに含んでもよい。
【０３５２】
ステップ1103：AMFノードは、第1の要求メッセージをNSSFノードに送信する。
【０３５３】
第1の要求メッセージは、第1のNSSAIを搬送する。第1のNSSAIは、端末デバイスのサブスクリプション情報および／または端末デバイスの登録要求メッセージによって搬送される構成されたNSSAIに基づいてAMFノードによって取得され得る。第1のNSSAIは、サブスクリプション情報および／または構成されたNSSAIに関連付けられる。第1の要求メッセージは、端末デバイスの登録エリア情報をさらに搬送し得る。
【０３５４】
ステップ1104：NSSFノードは、許可されたNSSAIおよび許可されたNSSAIに対応するサービスエリア情報を取得する。
【０３５５】
NSSFノードは、NSSAIと、NSSFノードによってOAMシステムから取得されるサービスエリアとの対応関係、第1のNSSAI、および他の情報に基づいて端末デバイスの許可されたNSSAIおよび許可されたNSSAIに対応するサービスエリア情報を取得し得る。許可されたNSSAIは、第1のNSSAIに関連付けられ、第1のNSSAIの全体集合または部分集合であってもよい。
【０３５６】
NSSFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報を決定し、その場合、属性情報は、S−NSSAIに対応するスライスインスタンスのサービスエリアが端末デバイスの登録エリアを含むかどうかを示すために使用される。
【０３５７】
ステップ1105：NSSFノードは、ネットワーク要素発見要求メッセージをNRFデバイスに送信する。
【０３５８】
ネットワーク要素発見要求によって搬送されるスライスインスタンスまたはS−NSSAIに対応するスライスインスタンスの属性情報は、S−NSSAIに対応するスライスインスタンスまたは上記スライスインスタンスのサービスエリアが端末デバイスの登録エリアを含むことを示す。
【０３５９】
ネットワーク要素発見要求に含まれる内容は、NSSFノードによって送信された応答メッセージの内容に基づいてさらに決定されてもよい。応答メッセージが表1に示されている内容を搬送する場合、ネットワーク要素発見要求によって搬送され得る内容は、表3に示されているものである。スライスインスタンス識別子3を有するスライスインスタンスのサービスエリアが端末デバイスの登録エリアを含まないと仮定すると、ネットワーク要素発見要求は、スライスインスタンス識別子1および2を有するスライスインスタンスの情報のみを搬送する。応答メッセージが表2に示されている内容を搬送する場合、ネットワーク要素発見要求によって搬送され得る内容は、表4に示されているものである。スライスS−NSSAI 3に対応するスライスインスタンスのサービスエリアが端末デバイスの登録エリアを含まないと仮定すると、ネットワーク要素発見要求は、スライスS−NSSAI 1および2の情報のみを搬送する。
【０３６０】
ステップ1106：NRFデバイスは、ネットワーク要素発見要求応答メッセージをNSSFノードに送信する。
【０３６１】
ネットワーク要素発見要求応答メッセージは、ターゲットAMFノードのアドレス情報を含む。NRFデバイスは、ネットワーク要素発見要求メッセージによって搬送された内容に基づいて、端末デバイスにサービスを提供するターゲットAMFノードを決定する。言い換えれば、端末デバイスは、ターゲットAMFノードに再配置され得る。
【０３６２】
ステップ1107：NSSFノードは、応答メッセージをAMFノードに送信する。
【０３６３】
応答メッセージは、許可されたNSSAIおよび許可されたNSSAIに対応するサービスエリア情報を搬送する。応答メッセージは、ターゲットAMFノードのアドレス情報をさらに搬送する。任意選択で、応答メッセージは、例えば表1または表2に示されているように、許可されたNSSAI内の各S−NSSAIに対応するスライスインスタンス識別情報をさらに含んでもよい。任意選択で、応答メッセージは、ステップ1105の許可されたNSSAI内の各S−NSSAIに対応するスライスインスタンスの属性情報をさらに含んでもよい。代替的には、NSSFノードは、属性情報をAMFノードに送信する。
【０３６４】
ステップ1108．AMFノードは、非アクセス層メッセージと、ステップ1107でAMFノードによって取得された許可されたNSSAIおよび許可されたNSSAIに対応するサービスエリア情報とをターゲットAMFノードに送信する。
【０３６５】
非アクセス層メッセージは、ステップ1101の登録要求メッセージである。
【０３６６】
任意選択で、許可されたNSSAIは、ステップ1105の許可されたNSSAI内の各S−NSSAIに対応するスライスインスタンスの属性情報を含む。代替的には、AMFノードは、属性情報をターゲットAMFノードに送信する。
【０３６７】
任意選択で、AMFノードは、RANノードを使用して、非アクセス層メッセージと、ステップ1107でAMFノードによって取得された許可されたNSSAIおよび許可されたNSSAIに対応するサービスエリア情報とをターゲットAMFノードに送信してもよい。特に、AMFノードは、登録要求メッセージならびにターゲットAMFノードのアドレス情報または識別情報を再配置するようにRANノードに命令する。RANノードは、非アクセス層メッセージと、ステップ1107でAMFノードによって取得された許可されたNSSAIおよび許可されたNSSAIに対応するサービスエリア情報と、登録要求メッセージとをターゲットAMFノードに転送する。
【０３６８】
任意選択で、RANノードを使用してAMFノードによってターゲットAMFノードに送信される情報は、ステップ1105の属性情報をさらに含んでもよい。
【０３６９】
ステップ1109：ターゲットAMFノードは、端末デバイスのセッションセットアップ要求を受信したときにセッションセットアップ要求に対してスライスインスタンスを決定するために、AMFノードによって送信された許可されたNSSAIおよび許可されたNSSAIに対応するサービスエリア情報を記憶する。
【０３７０】
任意選択で、ターゲットAMFノードは、取得された端末デバイスの許可されたNSSAIおよび許可されたNSSAIに対応するサービスエリア情報ならびに端末デバイスの登録エリア情報に基づいて、許可されたNSSAI内の各S−NSSAIに対応するスライスインスタンスの属性情報をさらに決定し、その場合、属性情報は、S−NSSAIに対応するスライスインスタンスのサービスエリアが端末デバイスの登録エリアを含むかどうかを示し、属性情報に基づいて、許可されたNSSAI内の各S−NSSAIが登録エリアでサポートまたは許可されているかどうかを端末デバイスに示すために使用される。例えば、これは、表5に示されているものであってもよい。
【０３７１】
例えば、この指示は、RANノードを使用してAMFによって端末デバイスに送信される登録応答メッセージによって搬送されてもよい。
【０３７２】
本発明のこの実施形態は、このシナリオの別の可能な実施態様をさらに提供する。インタフェースが、NSSFノードとUDMデバイスとの間に設けられ得、NSSFノードは、AMFノードの代わりにHPLMNのUDMからローミング端末デバイスのサブスクリプション情報を直接取得し得る。特定の実施ステップについては、図3および図4に示されている実施形態の関係するステップの説明を参照されたい。ここでは詳細は再度説明されない。
【０３７３】
同じ技術的思想に基づいて、図12は、本発明の実施形態によるスライスベース通信装置を示す。本装置は、スライスベース通信手順を実行し得る。
【０３７４】
図12に示されているように、本装置は、処理ユニット1201およびトランシーバユニット1202を特に含み、
処理ユニット1201は、第1の要求メッセージをNSSFノードに送信するためにトランシーバユニット1202を制御するように構成され、
処理ユニット1201は、NSSFノードから応答メッセージを受信し、応答メッセージに基づいて、端末デバイスの許可されたネットワークスライス選択支援情報NSSAIおよび許可されたNSSAIに対応するサービスエリア情報を取得するためにトランシーバユニット1202を制御するようにさらに構成される。
【０３７５】
さらに、処理ユニット1201およびトランシーバユニット1202は、前述の実施形態におけるAMFノードの様々な他の動作をさらに実行し得る。詳細は再度説明されない。
【０３７６】
同じ技術的思想に基づいて、図13は、本発明の実施形態によるスライスベース通信装置を示す。本装置は、スライスベース通信手順を実行し得る。
【０３７７】
図13に示されているように、本装置は、処理ユニット1301およびトランシーバユニット1302を特に含み、
処理ユニット1301は、AMFノードから第1の要求メッセージを受信するためにトランシーバユニット1302を制御するように構成され、
処理ユニット1301は、応答メッセージをAMFノードに送信するためにトランシーバユニット1302を制御し、応答メッセージが、ネットワークスライス選択支援情報NSSAI、またはNSSAIおよびNSSAIに対応するサービスエリア情報を搬送する、ようにさらに構成される。
【０３７８】
さらに、処理ユニット1301およびトランシーバユニット1302は、前述の実施形態におけるNSSFノードの様々な他の動作をさらに実行し得る。詳細は再度説明されない。
【０３７９】
同じ技術的思想に基づいて、図14は、本発明の実施形態によるスライスベース通信デバイス1400を示す。スライスベース通信デバイス1400は、前述の実施形態においてAMFノードによって実行されるステップまたは機能を実行し得る。スライスベース通信デバイス1400は、トランシーバ1401、プロセッサ1402、およびメモリ1403を含み得る。プロセッサ1402は、スライスベース通信デバイス1400の動作を制御するように構成される。メモリ1403は、読み出し専用メモリおよびランダムアクセスメモリを含み得、プロセッサ1402によって実行され得る命令、およびデータを記憶する。トランシーバ1401、プロセッサ1402、およびメモリ1403などのコンポーネントは、バス1409を使用して接続される。バス1409は、データバスに加えて電源バス、制御バス、および状態信号バスをさらに含み得る。しかしながら、明確な説明の目的のために、図では様々なバスはすべて、バス1409として示されている。トランシーバ1401は、送受信機であり得、送信機および受信機を含み得る。
【０３８０】
本発明の実施形態で開示されているるスライスベース通信方法は、プロセッサ1402に適用され得るか、またはプロセッサ1402によって実行され得る。
【０３８１】
プロセッサ1402は、メモリ1403内のコードを読み出し、スライスベース通信手順を実行するように構成される。
【０３８２】
例えば、任意選択で、応答メッセージに基づいて端末デバイスの許可されたNSSAIおよび許可されたNSSAIに対応するサービスエリア情報を取得するときに、プロセッサ1402は、
応答メッセージが許可されたNSSAIおよび許可されたNSSAIに対応するサービスエリア情報を搬送する場合に、応答メッセージから許可されたNSSAIおよび許可されたNSSAIに対応するサービスエリア情報を取得するか、または
応答メッセージが許可されたNSSAIを搬送する場合に、応答メッセージから許可されたNSSAIを取得し、NSSAIとサービスエリアとの対応関係に基づいて、許可されたNSSAIに対応するサービスエリア情報を取得するか、または
応答メッセージが第1のNSSAIおよび第1のNSSAIに対応するサービスエリア情報を搬送する場合に、第1のNSSAIおよび第1のNSSAIに対応するサービスエリア情報に基づいて、許可されたNSSAIおよび許可されたNSSAIに対応するサービスエリア情報を決定する、ように特に構成される。
【０３８３】
任意選択で、プロセッサ1402は、
端末デバイスのサブスクリプション情報を照会し、サブスクリプション情報が、端末デバイスのサブスクライブされたNSSAIを含み、第1の要求メッセージが、第1のNSSAIを搬送し、第1のNSSAIが、サブスクライブされたNSSAIに関連付けられる、ようにさらに構成される。
【０３８４】
任意選択で、プロセッサ1402は、
端末デバイスから登録要求メッセージを受信するためにトランシーバ1401を制御し、登録要求メッセージが、構成されたNSSAIを搬送し、第1の要求メッセージが、第1のNSSAIを搬送し、第1のNSSAIが、構成されたNSSAIに関連付けられるか、または第1のNSSAIが、サブスクライブされたNSSAIおよび構成されたNSSAIに関連付けられる、ようにさらに構成される。
【０３８５】
同じ技術的思想に基づいて、図15は、本発明の実施形態によるスライスベース通信デバイス1500を示す。スライスベース通信デバイス1500は、前述の実施形態においてNSSFノードによって実行されるステップまたは機能を実行し得る。スライスベース通信デバイス1500は、トランシーバ1501、プロセッサ1502、およびメモリ1503を含み得る。プロセッサ1502は、スライスベース通信デバイス1500の動作を制御するように構成される。メモリ1503は、読み出し専用メモリおよびランダムアクセスメモリを含み得、プロセッサ1502によって実行され得る命令およびデータを記憶する。トランシーバ1501、プロセッサ1502、およびメモリ1503などのコンポーネントは、バス1509を使用して接続される。バス1509は、データバスに加えて電源バス、制御バス、および状態信号バスをさらに含み得る。しかしながら、明確な説明の目的のために、図では様々なバスはすべて、バス1509として示されている。トランシーバ1501は、送受信機であり得、送信機および受信機を含み得る。
【０３８６】
本発明の実施形態で開示されているるスライスベース通信方法は、プロセッサ1502に適用され得るか、またはプロセッサ1502によって実行され得る。
【０３８７】
プロセッサ1502は、メモリ1503内のコードを読み出し、スライスベース通信手順を実行するように構成される。
【０３８８】
例えば、任意選択で、NSSAIは、許可されたNSSAIである。
【０３８９】
任意選択で、第1の要求メッセージは、第1のNSSAIを搬送し、許可されたNSSAIは、第1のNSSAIに関連付けられ、第1のNSSAIは、サブスクライブされたNSSAIに関連付けられるか、もしくは第1のNSSAIは、構成されたNSSAIに関連付けられるか、もしくは第1のNSSAIは、サブスクライブされたNSSAIおよび構成されたNSSAIに関連付けられるか、または
第1の要求メッセージは、端末デバイスの識別情報を搬送し、プロセッサ1502は、識別情報に基づいて端末デバイスのサブスクリプション情報を照会し、サブスクリプション情報が、端末デバイスのサブスクライブされたNSSAIを含み、許可されたNSSAIが、サブスクライブされたNSSAIに関連付けられる、ようにさらに構成される。
【０３９０】
任意選択で、第1の要求メッセージは、第1のNSSAIを搬送し、NSSAIは、第1のNSSAIであり、
第1のNSSAIは、サブスクライブされたNSSAIに関連付けられるか、もしくは第1のNSSAIは、構成されたNSSAIに関連付けられるか、もしくは第1のNSSAIは、サブスクライブされたNSSAIおよび構成されたNSSAIに関連付けられ、
第1の要求メッセージは、端末デバイスの識別情報を搬送し、
プロセッサ1502は、
識別情報に基づいて端末デバイスのサブスクリプション情報を照会し、サブスクリプション情報が、端末デバイスのサブスクライブされたNSSAIを含み、第1のNSSAIが、サブスクライブされたNSSAIに関連付けられる、ようにさらに構成される。
【０３９１】
当業者は、本発明の実施形態が方法、システム、またはコンピュータプログラム製品として提供され得ることを理解すべきである。したがって、本発明の実施形態は、ハードウェアのみの実施形態、ソフトウェアのみの実施形態、またはソフトウェアとハードウェアとを組み合わせた実施形態の形態を使用し得る。さらに、本発明の実施形態は、コンピュータ使用可能プログラムコードを含む1つ以上のコンピュータ使用可能記憶媒体（ディスクメモリ、CD−ROM、および光メモリなどを含むが、これらに限定されない）で実施されるコンピュータプログラム製品の形態を使用し得る。
【０３９２】
本発明の実施形態は、本発明の実施形態による方法、デバイス（システム）、およびコンピュータプログラム製品のフローチャートおよび／またはブロック図を参照して説明されている。コンピュータプログラム命令が、フローチャートおよび／またはブロック図の各プロセスおよび／または各ブロックならびにフローチャートおよび／またはブロック図のプロセスおよび／またはブロックの組み合わせを実施するために使用され得ることを理解されたい。これらのコンピュータプログラム命令は、マシンを作るために汎用コンピュータ、専用コンピュータ、組み込みプロセッサ、または任意の他のプログラマブルデータ処理デバイスのプロセッサに提供され得、これにより、コンピュータまたは任意の他のプログラマブルデータ処理デバイスのプロセッサによって実行される命令は、フローチャートの1つ以上のプロセスおよび／またはブロック図の1つ以上のブロックにおける特定の機能を実施するための装置を作る。
【０３９３】
これらのコンピュータプログラム命令は、コンピュータまたは任意の他のプログラマブルデータ処理デバイスに特定の方法で動作するように命令し得るコンピュータ可読メモリに記憶され得、これにより、コンピュータ可読メモリに記憶された命令は、命令装置を含む人工物を作る。命令装置は、フローチャートの1つ以上のプロセスおよび／またはブロック図の1つ以上のブロックにおける特定の機能を実施する。
【０３９４】
これらのコンピュータプログラム命令は、一連の動作およびステップがコンピュータまたは別のプログラマブルデバイス上で実行されるようにコンピュータまたは別のプログラマブルデータ処理デバイスにロードされ得、これにより、コンピュータ実施処理が生成される。したがって、コンピュータまたは別のプログラマブルデバイス上で実行される命令は、フローチャートの1つ以上のプロセスおよび／またはブロック図の1つ以上のブロックにおける特定の機能を実施するためのステップを提供する。
【０３９５】
明らかに、当業者は、本発明の精神および範囲から逸脱することなく、本発明の実施形態に対して様々な修正および変形を行い得る。本発明は、以下の特許請求の範囲およびその均等な技術によって規定される保護範囲内に入るならば、これらの修正および変形を包含することを意図されている。
【符号の説明】
【０３９６】
101  RANノード
102  AMFノード
103  NSSFノード
104  スライス
1201  処理ユニット
1202  トランシーバユニット
1301  処理ユニット
1302  トランシーバユニット
1400  スライスベース通信デバイス
1401  トランシーバ
1402  プロセッサ
1403  メモリ
1409  バス
1500  スライスベース通信デバイス
1501  トランシーバ
1502  プロセッサ
1503  メモリ
1509  バス
【図１】
2020519061.tif 000013
【図２】
2020519061.tif 000014
【図３】
2020519061.tif 000015
【図４】
2020519061.tif 000016
【図５】
2020519061.tif 000017
【図６】
2020519061.tif 000018
【図７】
2020519061.tif 000019
【図８】
2020519061.tif 000020
【図９】
2020519061.tif 000021
【図１０】
2020519061.tif 000022
【図１１】
2020519061.tif 000023
【図１２】
2020519061.tif 000024
【図１３】
2020519061.tif 000025
【図１４】
2020519061.tif 000026
【図１５】
2020519061.tif 000027
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
ネットワークスライス選択機能NSSFノードによって、アクセスおよびモビリティ管理機能AMFノードから第1の要求メッセージを受信するステップと、
前記NSSFノードによって応答メッセージを前記AMFノードに送信するステップであって、前記応答メッセージが、ネットワークスライス選択支援情報NSSAIを搬送する、ステップと
を含むスライスベース通信方法であって、
前記NSSAIが許可されたNSSAIであってかつ訪問先公衆陸上移動ネットワーク、VPLMN、であり、前記応答メッセージが前記NSSAI内の各単一ネットワークスライス選択支援情報S−NSSAIに対応するスライスインスタンス識別情報をさらに搬送し、前記応答メッセージが、前記VPLMNの前記NSSAIに対応する、ホーム公衆陸上移動ネットワーク、HPLMN、のNSSAIをさらに含むものである、
スライスベース通信方法。
【請求項２】
前記第1の要求メッセージが、第1のNSSAIを搬送し、前記許可されたNSSAIが、前記第1のNSSAIに関連付けられ、
前記第1のNSSAIが、サブスクライブされたNSSAIに関連付けられるか、または前記第1のNSSAIが、構成されたNSSAIに関連付けられるか、または前記第1のNSSAIが、前記サブスクライブされたNSSAIおよび前記構成されたNSSAIに関連付けられる、請求項1に記載の方法。
【請求項３】
前記第1の要求メッセージが、端末デバイスの識別情報を搬送し、
前記方法が、
前記NSSFノードによって、前記識別情報に基づいて前記端末デバイスのサブスクリプション情報を照会するステップであって、前記サブスクリプション情報が、前記端末デバイスのサブスクライブされたNSSAIを含み、前記許可されたNSSAIが、前記サブスクライブされたNSSAIに関連付けられる、ステップをさらに含む、請求項1に記載の方法。
【請求項４】
前記端末デバイスの前記サブスクリプション情報が、前記端末デバイスのタイプをさらに含み、前記第1の要求メッセージが、前記端末デバイスの前記タイプをさらに含む、請求項1から3のいずれか一項に記載の方法。
【請求項５】
前記応答メッセージが、前記NSSAI内の各単一ネットワークスライス選択支援情報S−NSSAIに対応するスライスインスタンス識別情報をさらに搬送する、請求項1から4のいずれか一項に記載の方法。
【請求項６】
前記NSSFノードによってNSSAIと前記NSSAIのサービスエリアとの対応関係を前記AMFに送信するステップ
をさらに含む、請求項1に記載の方法。
【請求項７】
トランシーバおよびプロセッサを備えるスライスベース通信デバイスであって、
前記プロセッサが、アクセスおよびモビリティ管理機能AMFノードから第1の要求メッセージを受信するために前記トランシーバを制御するように構成されており、
前記プロセッサが、応答メッセージを前記AMFノードに送信するために前記トランシーバを制御し、前記応答メッセージが、ネットワークスライス選択支援情報NSSAIを搬送する、ようにさらに構成され、
前記NSSAIが許可されたNSSAIであってかつ訪問先公衆陸上移動ネットワーク、VPLMN、であり、前記応答メッセージが前記NSSAI内の各単一ネットワークスライス選択支援情報S−NSSAIに対応するスライスインスタンス識別情報をさらに搬送し、前記応答メッセージが、前記VPLMNの前記NSSAIに対応するホーム公衆陸上移動ネットワーク、HPLMN、のNSSAIをさらに含むものである、
デバイス。
【請求項８】
前記第1の要求メッセージが、第1のNSSAIを搬送し、前記許可されたNSSAIが、前記第1のNSSAIに関連付けられ、前記第1のNSSAIが、サブスクライブされたNSSAIに関連付けられるか、もしくは前記第1のNSSAIが、構成されたNSSAIに関連付けられるか、もしくは前記第1のNSSAIが、前記サブスクライブされたNSSAIおよび前記構成されたNSSAIに関連付けられるか、または
前記第1の要求メッセージが、端末デバイスの識別情報を搬送し、前記プロセッサが、前記識別情報に基づいて前記端末デバイスのサブスクリプション情報を照会し、前記サブスクリプション情報が、前記端末デバイスのサブスクライブされたNSSAIを含み、前記許可されたNSSAIが、前記サブスクライブされたNSSAIに関連付けられる、ようにさらに構成されている、請求項7に記載のデバイス。
【請求項９】
命令を備えるコンピュータ可読媒体であって、コンピュータによって実行された場合に、前記コンピュータに請求項1から6のいずれか一項に記載の方法を実行させる、コンピュータ可読媒体。
【国際調査報告】
2020519061.tif 000028
2020519061.tif 000029
2020519061.tif 000030
2020519061.tif 000031